(57)【要約】  エアウェイ（１２）を画成するハウジング（１１）と、エアウェイへ連結するように構成され第１の区域及び第２の区域から選択された少なくとも１つの区域を備える少なくとも１つのサポートであって、第１の化合物（１６）が第１の区域に配置され且つ第２の化合物（１７）が第２の区域に配置され、第２の化合物は第１の化合物の薬理効果を中和することができるサポートと、エアウェイ内に第１の化合物を解放するように構成された機構（１８）と、を備え、少なくとも１つの第１の区域と少なくとも１つの第２の区域とを備える装置が開示される。第１の化合物及び第２の化合物のエアロゾルを生成する対応する方法も開示される。エアロゾルを生成する装置及び方法を使用する方法もまた開示される。【選択図】  図１
2007526796.tif 000002
【特許請求の範囲】
【請求項１】
エアウェイを画成するハウジングと、
前記エアウェイへ連結するように構成され第１の区域及び第２の区域から選択された少なくとも１つの区域を備える少なくとも１つのサポートであって、第１の化合物が前記第１の区域に配置され且つ第２の化合物が前記第２の区域に配置され、前記第２の化合物が前記第１の化合物の薬理効果を中和することができるサポートと、
前記サポートに連結された前記エアウェイ内に前記第１の化合物を解放するように構成された機構と、
を備える装置であって、
少なくとも１つの第１の区域と少なくとも１つの第２の区域とを備える装置。
【請求項２】
前記解放機構が、前記第２の化合物を前記エアウェイ内に解放しない、請求項１に記載の装置。
【請求項３】
前記第１の化合物を含むエアロゾルが、前記第１の化合物が前記エアウェイ内に解放されるときに、形成される、請求項１に記載の装置。
【請求項４】
前記装置が、２つ以上のエアウェイを備える、請求項１に記載の装置。
【請求項５】
前記サポートが、２つ以上のサポートを備える、請求項１に記載の装置。
【請求項６】
前記サポートが、２つ以上の第１の区域を備える、請求項１に記載の装置。
【請求項７】
前記サポートが、２つ以上の第２の区域を備える、請求項１に記載の装置。
【請求項８】
前記サポートが、２つ以上の第１の区域及び２つ以上の第２の区域を備える、請求項１に記載の装置。
【請求項９】
前記２つ以上の第１の区域が、前記２つ以上の第２の区域の中に空間的に散在する、請求項８に記載の装置。
【請求項１０】
前記少なくとも１つの第１の区域及び前記少なくとも１つの第２の区域が、異なるサポートに配置される、請求項１に記載の装置。
【請求項１１】
前記少なくとも１つの第１の区域及び前記少なくとも１つの第２の区域が、同一のサポートに配置される、請求項１に記載の装置。
【請求項１２】
前記第１の区域に配置された前記第１の化合物及び前記第２の区域に配置された前記第２の化合物が、目による観察では見分けがつかない、請求項１に記載の装置。
【請求項１３】
前記少なくとも１つの第１の区域及び前記少なくとも１つの第２の区域が、位置的に弁別可能である、請求項１に記載の装置。
【請求項１４】
前記解放するように構成された機構が、前記第１の化合物を単一の第１の区域から前記エアウェイ内に解放する、請求項１に記載の装置。
【請求項１５】
前記解放するように構成された機構が、前記第１の化合物を２つ以上の第１の区域から前記エアウェイ内に解放する、請求項１に記載の装置。
【請求項１６】
前記解放するように構成された機構が、熱機構、機械的機構及び音響機構から選択される、請求項１に記載の装置。
【請求項１７】
前記熱機構が、前記第１の区域を周囲温度から５００ミリ秒以内に２００°Ｃから６００°Ｃの範囲の温度へ加熱する、請求項１６に記載の装置。
【請求項１８】
前記熱機構が、抵抗加熱、光学的加熱、及び、化学的加熱から選択される、請求項１６に記載の装置。
【請求項１９】
電源及びコントローラをさらに備える、請求項１に記載の装置。
【請求項２０】
前記コントローラが、前記解放するように構成された機構のその後の作動の間の時間インターバルを制御する、請求項１９に記載の装置。
【請求項２１】
前記コントローラが、前記解放するように構成された機構によって解放された第１の化合物の量を制御する、請求項１９に記載の装置。
【請求項２２】
前記コントローラが、患者によって調整可能である、請求項１９に記載の装置。
【請求項２３】
作動機構をさらに備える、請求項１に記載の装置。
【請求項２４】
ロックアウト機構をさらに備える、請求項１に記載の装置。
【請求項２５】
エアウェイを画成するハウジングと、
前記エアウェイへ連結するように構成され少なくとも１つの第１の区域及び少なくとも１つの第２の区域を備えるサポートであって、第１の化合物が前記少なくとも１つの第１の区域に配置され且つ第２の化合物が前記少なくとも１つの第２の区域に配置され、前記第２の化合物が前記第１の化合物の薬理効果を中和することができるサポートと、
前記少なくとも１つの第１の区域に配置された前記第１の化合物を前記エアウェイ内に解放するように構成された機構と、
を備える装置。
【請求項２６】
前記サポートが、２つ以上の第１の区域を備える、請求項２５に記載の装置。
【請求項２７】
前記サポートが、２つ以上の第２の区域を備える、請求項２５に記載の装置。
【請求項２８】
エアウェイを画成するハウジングと、
前記エアウェイへ連結するように構成され少なくとも１つの第１の区域及び少なくとも１つの第２の区域を備える２つ以上のサポートであって、第１の化合物が前記少なくとも１つの第１の区域に配置され且つ第２の化合物が前記少なくとも１つの第２の区域に配置され、前記第２の化合物が前記第１の化合物の薬理効果を中和することができる２つ以上のサポートと、
前記少なくとも１つの第１の区域に配置された前記第１の化合物を前記エアウェイ内に解放するように構成された機構と、
を備える装置。
【請求項２９】
前記２つ以上のサポートが、２つ以上の第１の区域及び２つ以上の第２の区域を備える、請求項２８に記載の装置。
【請求項３０】
エアウェイを画成するハウジングと、
前記エアウェイへ連結するように構成され少なくとも１つの第１の区域を備える第１のサポートであって、第１の化合物が前記少なくとも１つの第１の区域に配置される第１のサポートと、
少なくとも１つの第２の区域を備える第２のサポートであって、第２の化合物が前記少なくとも１つの第２の区域に配置され、前記第２の化合物が前記第１の化合物の薬理効果を中和することができる第２のサポートと、
前記第１の化合物を前記エアウェイ内に解放するように構成された機構と、
を備える装置。
【請求項３１】
前記第１のサポートが、２つ以上の第１の区域を備える、請求項３０に記載の装置。
【請求項３２】
前記第２のサポートが、２つ以上の第２の区域を備える、請求項３０に記載の装置。
【請求項３３】
エアウェイを画成するハウジングと、
前記エアウェイへ連結するように構成され少なくとも１つの第１の区域を備える２つ以上の第１のサポートであって、第１の化合物が前記少なくとも１つの第１の区域に配置される２つ以上の第１のサポートと、
少なくとも１つの第２の区域を備える２つ以上の第２のサポートであって、第２の化合物が前記少なくとも１つの第２の区域に配置され、前記第２の化合物が前記第１の化合物の薬理効果を中和することができる２つ以上の第２のサポートと、
前記第１の化合物を前記エアウェイ内に解放するように構成された機構と、
を備える装置。
【請求項３４】
前記第１のサポートが、２つ以上の第１の区域を備える、請求項３３に記載の装置。
【請求項３５】
前記第２のサポートが、２つ以上の第２の区域を備える、請求項３３に記載の装置。
【請求項３６】
エアウェイを画成するハウジングと、
前記エアウェイへ連結するように構成され２つ以上の第１の区域及び１つの第２の区域を備えるサポートであって、第１の化合物が前記２つ以上の第１の区域に配置され且つ第２の化合物が前記第２の区域に配置され、前記第２の化合物が前記第１の化合物の薬理効果を中和することができるサポートと、
前記少なくとも１つの第１の区域に配置された前記第１の化合物を前記エアウェイ内に熱蒸発するように構成された機構と、
を備える装置。
【請求項３７】
前記第１の化合物を含むエアロゾルが、前記第１の化合物が前記エアウェイ内に熱蒸発されるときに、形成される、請求項３６に記載の装置。
【請求項３８】
前記エアロゾルが、前記第２の化合物を備えていない、請求項３７に記載の装置。
【請求項３９】
前記エアロゾルが、前記第１の化合物の治療効果量を備える、請求項３７に記載の装置。
【請求項４０】
前記エアロゾルが、１μｍ〜３μｍの範囲の平均空気動力学的粒径を呈する、請求項３７に記載の装置。
【請求項４１】
前記エアロゾルが、３未満の対数正規粒子サイズ分布の幾何標準偏差を呈する、請求項４０に記載の装置。
【請求項４２】
前記少なくとも１つの第１の区域の少なくとも一部が、前記エアウェイ内に配置される、請求項３６に記載の装置。
【請求項４３】
前記サポートが、熱伝導性である、請求項３６に記載の装置。
【請求項４４】
前記サポートが、ステンレス鋼を備える、請求項３６に記載の装置。
【請求項４５】
前記サポートが、複数層を備える、請求項３６に記載の装置。
【請求項４６】
前記サポートが、金属箔、金属板、金属シェル及び金属ディスクの少なくとも１つを備える、請求項３６に記載の装置。
【請求項４７】
前記第１の区域が、熱伝導性材料を備える、請求項３６に記載の装置。
【請求項４８】
前記第１の化合物が、製薬化合物を含む、請求項３６に記載の装置。
【請求項４９】
前記第１の化合物が、オピオイド鎮痛薬を含む、請求項３６に記載の装置。
【請求項５０】
前記オピオイド鎮痛薬化合物が、下記のフェンタニル、サフェンタニル、レミフェンタニル、モルヒネ、ヒドロモルホン、オキシモルホン、コデイン、ヒドロコドン、オキシコドン、メペリジン、メタドン、ナルブフィン、ブプレノルフィン、及び、ブオルファノールの少なくとも１つから選択される、請求項４９に記載の装置。
【請求項５１】
前記第２の化合物が、オピオイド鎮痛薬のアンタゴニストを含む、請求項３６に記載の装置。
【請求項５２】
前記第１の化合物が少なくともフェンタニルを含み、前記第２の化合物が少なくとも１つのフェンタニルアンタゴニスト化合物を含む、請求項３６に記載の装置。
【請求項５３】
前記少なくとも１つのフェンタニルアンタゴニスト化合物が、ナロキソン及びナルトレキソンから選択される、請求項５２に記載の装置。
【請求項５４】
前記第１の化合物が、薄膜を備える、請求項３６に記載の装置。
【請求項５５】
前記薄膜の厚さが、２０μｍ未満である、請求項５４に記載の装置。
【請求項５６】
前記第１の化合物が、濫用可能物質を含む、請求項３６に記載の装置。
【請求項５７】
前記第１の区域が、前記第１の化合物の解放を容易にする特性を呈する、請求項３６に記載の装置。
【請求項５８】
前記特性が、下記の熱特性、光学的特性、電気的特性、物理的特性及び機械的特性の少なくとも１つから選択される、請求項５７に記載の装置。
【請求項５９】
前記第２の化合物が、前記第１の化合物が解放される状態下で前記第２の化合物の解放を抑制する特性を呈する、請求項３６に記載の装置。
【請求項６０】
前記特性が、下記の熱特性、光学的特性、電気的特性、物理的特性及び機械的特性の少なくとも１つから選択される、請求項５９に記載の装置。
【請求項６１】
前記第１の化合物の５％未満が熱蒸発中に劣化する、請求項３６に記載の装置。
【請求項６２】
電源及びコントローラをさらに備える、請求項３６に記載の装置。
【請求項６３】
前記コントローラが、前記解放するように構成された機構のその後の作動の間の時間インターバルを制御する、請求項６２に記載の装置。
【請求項６４】
前記コントローラが、前記解放するように構成された機構によって解放された第１の化合物の量を制御する、請求項６２に記載の装置。
【請求項６５】
前記装置の単一の作動において解放される第１の化合物の量が、患者によって調整可能である、請求項６２に記載の装置。
【請求項６６】
作動機構をさらに備える、請求項３６に記載の装置。
【請求項６７】
前記作動機構が、気流センサを備える、請求項６６に記載の装置。
【請求項６８】
前記作動機構が、前記エアウェイを通る気流の速度が予め制定された閾値を超えるときに、起動される、請求項６７に記載の装置。
【請求項６９】
前記予め制定された閾値が、少なくとも１ｍ／秒である、請求項６８に記載の装置。
【請求項７０】
ロックアウト機構をさらに備える、請求項３６に記載の装置。
【請求項７１】
前記ロックアウト機構が、熱蒸発するように構成された機構の連続する作動の間の時間インターバルを制御する、請求項７０に記載の装置。
【請求項７２】
前記熱蒸発するように構成された機構が、抵抗加熱、光学的加熱、及び、化学的加熱から選択される、請求項３６に記載の装置。
【請求項７３】
気流が、患者による吸入時に前記エアウェイを通って生成される、請求項３６に記載の装置。
【請求項７４】
前記エアウェイに作用的に接続された少なくとも１つの気流制御弁をさらに備える、請求項３６に記載の装置。
【請求項７５】
前記少なくとも１つの気流制御弁が、前記エアウェイを通る気流率を１０Ｌ／分〜１２０Ｌ／分の範囲であるように維持するように構成される、請求項７４に記載の装置。
【請求項７６】
前記サポートを動かすように構成された機構をさらに備える、請求項３６に記載の装置。
【請求項７７】
第１の化合物のエアロゾルを生成する方法であって、
第１の化合物が配置される少なくとも１つの第１の区域と第２の化合物が配置される少なくとも１つの第２の区域とを提供するステップであって、前記第２の化合物が前記第１の化合物の薬理効果を中和することができるステップと、
前記少なくとも１つの第１の区域の少なくとも一部上に気流を提供するステップと、
前記少なくとも１つの第１の区域の少なくとも一部から前記第１の化合物を前記気流内に解放するステップと、
を備え、
前記第１の化合物が前記気流にエアロゾルを形成する、方法。
【請求項７８】
所定の装置によって生成されたエアロゾルを吸入するステップを備える、第１の化合物の治療効果量を患者へ投与する方法であって、
前記装置が、
エアウェイを画成するハウジングと、
前記エアウェイへ連結するように構成され第１の区域及び第２の区域から選択された少なくとも１つの区域を備える少なくとも１つのサポートであって、第１の化合物が前記第１の区域に配置され且つ第２の化合物が前記第２の区域に配置され、前記第２の化合物が前記第１の化合物の薬理効果を中和することができる少なくとも１つのサポートと、
前記エアウェイ内に前記第１の化合物の少なくとも一部を解放するように構成された機構と、
を備え、少なくとも１つの第１の区域と少なくとも１つの第２の区域とを備えるものとなっている、方法。
【請求項７９】
エアロゾルを吸入するステップを備える、少なくとも１つの第１の化合物の治療効果量を患者へ投与する方法であって、
前記エアロゾルが、
第１の化合物が配置される少なくとも１つの第１の区域と第２の化合物が配置される少なくとも１つの第２の区域とを提供するステップであって、前記第２の化合物が前記第１の化合物の薬理効果を中和することができるステップと、
前記少なくとも１つの第１の区域の少なくとも一部上に気流を提供するステップと、
前記少なくとも１つの第１の区域の少なくとも一部から前記第１の化合物を前記気流内に解放するステップと、
を備える方法であり、前記第１の化合物が前記気流にエアロゾルを形成するという方法を使用して、生成される、方法。
【請求項８０】
治療を必要とする患者の疾病を治療する方法であって、
少なくとも１つの第１の化合物の治療効果量を備えるエアロゾルを患者へ投与するステップを備え、
前記エアロゾルが所定の装置により生成され、
前記装置が、
エアウェイを画成するハウジングと、
前記エアウェイへ連結するように構成され第１の区域及び第２の区域から選択された少なくとも１つの区域を備える少なくとも１つのサポートであって、第１の化合物が前記第１の区域に配置され且つ第２の化合物が前記第２の区域に配置され、前記第２の化合物が前記第１の化合物の薬理効果を中和することができる少なくとも１つのサポートと、
前記エアウェイ内に前記第１の化合物を解放するように構成された機構と、
を備え、少なくとも１つの第１の区域と少なくとも１つの第２の区域とを備えるものである、方法。
【請求項８１】
少なくとも１つの第１の化合物の治療効果量を備えるエアロゾルを患者へ投与するステップを備える、治療を必要とする患者の疾病を治療する方法であって、
前記エアロゾルが、
第１の化合物が配置される少なくとも１つの第１の区域と第２の化合物が配置される少なくとも１つの第２の区域とを提供するステップであって、前記第２の化合物が前記第１の化合物の薬理効果を中和することができるステップと、
前記少なくとも１つの第１の区域の少なくとも一部上に気流を提供するステップと、
前記少なくとも１つの第１の区域の少なくとも一部から前記第１の化合物を前記気流内に解放するステップと、
を備える方法であり、前記第１の化合物が前記気流にエアロゾルを形成するという方法によって、生成される、方法。
【請求項８２】
エアウェイを画成するハウジングと、
前記エアウェイへ連結するように構成され第１の区域及び第２の区域から選択された少なくとも１つの区域を備える少なくとも１つのサポートであって、第１の化合物が前記第１の区域に配置され且つ第２の化合物が前記第２の区域に配置され、前記第２の化合物が前記第１の化合物の薬理効果を中和することができる少なくとも１つのサポートと、
前記エアウェイ内に前記第１の化合物を解放するように構成された機構と、
を備える装置であって、少なくとも１つの第１の区域と少なくとも１つの第２の区域とを備える装置を使用して、生成されたエアロゾル。
【請求項８３】
第１の化合物が配置される少なくとも１つの第１の区域と第２の化合物が配置される少なくとも１つの第２の区域とを提供するステップであって、前記第２の化合物が前記第１の化合物の薬理効果を中和することができるステップと、
前記少なくとも１つの第１の区域の少なくとも一部上に気流を提供するステップと、
前記少なくとも１つの第１の区域の少なくとも一部から前記第１の化合物を前記気流内に解放するステップと、
を備える方法であり、前記第１の化合物が前記気流にエアロゾルを形成する方法によって、生成されたエアロゾル。
【発明の詳細な説明】
【関連出願】
【０００１】
[0001]本願は、２００３年１２月１６日に出願されたＲａｂｉｎｏｗｉｔｚ、Ｓｈｅｎ及びＷｅｎｓｌｅｙの米国仮特許出願第６０／５３０，０５８号、発明の名称「Ｔｒｅａｔｍｅｎｔ  ｏｆ  Ｂｒｅａｋｔｈｒｏｕｇｈ  Ｐａｉｎ  ｂｙ  Ｄｒｕｇ  Ａｅｒｏｓｏｌ  Ｉｎｈａｌａｔｉｏｎ」の権利を主張するものであり、その開示全体は、参照として本明細書に組み込まれる。
【分野】
【０００２】
[0002]実施形態は、主に、第１の化合物と第２の化合物とを含む装置であって、第２の化合物は第１の化合物の薬理効果を中和することができる装置に関し、特に、第１の化合物のエアロゾルを生成する装置、そのような装置を使用して第１の化合物のエアロゾルを生成する方法、及び、そのような装置及び方法を使用する方法に関する。
【序】
【０００３】
[0003]多くの潜在的に濫用可能薬剤は、現在の医療行為では重要な役割を果たす。そのような濫用可能薬剤として、例えば、オピオイド鎮痛薬、精神刺激薬、カンナビノイドアゴニスト、ドパミン作動薬、ステロイド、及び、催眠鎮静薬が挙げられる。多くの濫用可能薬剤用に、速やかな非侵襲的送出が、重要な医療的利点を有することができ、治療効果の好都合な速い発現、最小効果薬剤用量へ患者が滴定する容易さ、用量再現性、及び、高いバイオアベイラビリティを含む。潜在的に濫用可能薬剤を含むエアロゾルの肺内投与は、上記利点の実現を可能にすることができる速やかな薬剤送出を行う１つの手段である。
【０００４】
[0004]濫用可能薬剤を患者へ投与する際に、患者によるか又は薬剤濫用者によるかのいずれかの、薬剤の誤用の可能性を緩和する形態の薬剤を提供することが有利でありうる。そのような誤用は、例えば、単一用量の代わりに複数用量を投与することによって、又は、処方された持続時間よりも長い間、霧状にされた薬剤溶液を吸入することによって、投与の意図されたルートによって、薬剤の過剰用量投与の形態を取る可能性がある。さらに、誤用は、例えば、徐放性カプセルを潰し次いで薬剤を鼻で摂取することによって、又は、噴霧化が意図された薬剤溶液の静脈注入によって、薬剤を投与するルートを変えることに関与する可能性がある。
【０００５】
[0005]投与の意図されたルートによってオピオイド等のエアロゾル形態の濫用可能物質を過剰使用するのを防止するための電子ロックアウト手段が、提案されている。エアロゾル生成機器が、処方された時間インターバルよりも頻繁にエアロゾルを生成するのを防止するために、電子ロックアウト特徴を使用する例は、米国特許第５，６９４，９１９号に開示されている。電子ロックアウト特徴が過剰用量投与を防止することができる一方、そのような電子ロックアウト特徴は、投与のルートを変えることによる薬剤の誤用を防止するのには効果がない。
【０００６】
[0006]不正開封防止エンクロージャに濫用可能物質を提供することは、投与のルートを変えることによる薬剤の誤用を防止する１つの方法を表す。しかし、米国特許第５，６９４，９１９号に提案されているように、濫用者が入手するのを防止するために物理的エンクロージャに濫用可能物質を隔離することは、濫用可能薬剤を誤用から保護する際に商業的に実現可能であり且つ効果的なやり方で実施するのは困難でありうる。
【０００７】
[0007]薬剤処方、特にエアロゾル送出用に意図された濫用可能物質を含む薬剤処方が、その後の濫用のために送出機器から抽出されるのを防止する改良された装置及び方法が必要である。
【概要】
【０００８】
[0008]エアウェイを画成するハウジングと、エアウェイへ連結するように構成され第１の区域及び第２の区域から選択された少なくとも１つの区域を備える少なくとも１つのサポートであって、第１の化合物が第１の区域に配置され且つ第２の化合物が第２の区域に配置され、第２の化合物は第１の化合物の薬理効果を中和することができるサポートと、エアウェイ内に第１の化合物を解放するように構成された機構と、を備える装置が提供され、装置は、少なくとも１つの第１の区域と少なくとも１つの第２の区域とを備える。第１の化合物を濫用する可能性は、第１の化合物と、第１の化合物の薬理効果を中和することができる第２の化合物とを、第１及び第２の化合物が見分けがつかないように、同一装置内に有することによって、防止されるか又は最小限にされることができる。
【０００９】
[0009]第１の化合物のエアロゾルを生成するための方法であって、第１の化合物が配置される少なくとも１つの第１の区域と第２の化合物が配置される少なくとも１つの第２の区域とを提供するステップであって、第２の化合物は第１の化合物の薬理効果を中和することができるステップと、少なくとも１つの第１の区域の少なくとも一部上に気流を提供するステップと、少なくとも１つの第１の区域の少なくとも一部から第１の化合物を気流内に解放するステップと、を備え、第１の化合物は気流にエアロゾルを形成する方法が提供される。
【００１０】
[0010]前述の一般的な説明及び下記の詳細な説明の両方は、模範且つ説明的のみであり、請求されるように、ある実施形態に制限されないことが理解されるべきである。
【００１１】
[0011]本明細書に組み込まれその一部を構成する添付の図面は、数実施形態を例示し、説明とともにある実施形態を説明するように作用する。
【様々な実施形態の説明】
【００１２】
[0025]別途指定のない限り、明細書及び特許請求の範囲に使用される成分の量、反応状態等を表すすべての数は、すべての場合に「約」という用語によって修正されるものとして理解されるべきである。
【００１３】
[0026]本願において、特に別途記載のない限り、単数形の使用は、複数形を含む。本願において、別途記載のない限り、「又は」の使用は、「及び／又は」を意味する。さらに、「含んでいる」という用語及び「含む」及び「含んだ」等の他の形態の使用は、限定するものではない。また、「要素」又は「構成要素」等の用語は、別途記載のない限り、１つのユニットを備える要素及び構成要素、及び、２つ以上のサブユニットを備える要素及び構成要素の両方を包含する。
【００１４】
[0027]ここに使用されたセクション見出しは、編成上の目的のみであり、述べられた主題を限定するものとして解釈されるべきではない。特許、特許出願、記事、書籍及び学術論文を含むがそれらに限定されない本願に引用されたすべての文書は、いずれの目的のためにその全体が参照として本明細書に明白に組み込まれる。
【００１５】
[0028]次にある実施形態を参照するが、その例が、添付の図面に例示される。可能な限り、同一又は類似の部品を参照するために図面全体にわたって同一の参照符号が使用される。
【００１６】
[0029]ある実施形態において、装置は、エアウェイを画成するハウジングと、エアウェイへ連結するように構成され第１の区域及び第２の区域から選択された少なくとも１つの区域を備える少なくとも１つのサポートであって、第１の化合物が第１の区域に配置され且つ第２の化合物が第２の区域に配置され、第２の化合物は第１の化合物の薬理効果を中和することができる少なくとも１つのサポートと、第１の化合物をエアウェイ内に解放するように構成された機構と、を備え、装置は、少なくとも１つの第１の区域と少なくとも１つの第２の区域とを備える。
【００１７】
[0030]装置のある実施形態は、図１に概略的に例示される。図１は、エアロゾルを患者へ肺内送出するための携帯用吸入装置の実施形態を示す。図１に示された装置は、第１の化合物の複数用量を提供することができ、各用量は、単一吸気で患者へ送出されることができる。
【００１８】
[0031]ある実施形態において、図１に例示された装置は、エアウェイ１２を画成するハウジング１１を備えることができる。エアウェイ１２は、入口２０及び出口２１を含むことができ、例えば、出口２１で患者によって口及び／又は鼻孔を通る吸入時に、エアウェイ１２を通って気流を提供する。ある実施形態において、エアウェイ１２内の気流率及び気流速度は、ハウジング１１の壁内に組み込まれた気流制御弁２２によって制御されることができる。ある実施形態において、気流制御弁２２は、エアウェイ１２とハウジング１１への外部との間の圧力差にしたがってさらなる空気がエアウェイに入るのを可能にするゲートであってもよい。
【００１９】
[0032]ある実施形態において、エアウェイ１２を通る気流速度を電気信号又は機械信号に変換することができる作動機構２３、例えば、サーミスタ又は圧力トランスデューサがエアウェイ１２内に位置することができる。ある実施形態において、作動機構２３は、コントローラ３３に電気的に接続されることができる。コントローラ３３は、電源３１と、例えば抵抗加熱要素を備える解放機構１８と、にさらに接続されることができる。コントローラ３３は、解放機構を制御するために、電源３１を解放機構１８へ接続するための回路（図示せず）を含む。
【００２０】
[0033]ある実施形態において、図１に例示された装置は、エアウェイ１２内に配置されたサポート１３を含むことができる。ある実施形態において、サポート１３は、サポート１３の第１の表面２５に配置された第１の化合物１６を備える２つの第１の区域１４及び第２の化合物１７を備える第２の区域１５を備えることができる。ある実施形態において、第１の化合物１６及び第２の化合物１７は、それぞれ第１の区域１４及び第２の区域１５上に薄膜として配置されることができる。ある実施形態において、解放機構１８は、第１の区域１４及び第２の区域１５に対向して、サポート１３の第２の表面２６上に又はその中に位置することができる抵抗加熱要素を備えることができる。
【００２１】
[0034]ある実施形態において、電源３１によって提供された電流が抵抗加熱要素１８に加えられており、熱が生成される。加熱要素１８によって生成された熱は、サポート１３を通って伝導されることができ、それは、ある実施形態では、例えばステンレス鋼等の熱伝導材料を備えることができ、少なくとも１つの第１の区域１４及びその上に配置された第１の化合物１６を加熱する。十分な温度へ加熱されたときには、第１の化合物１６は、エアウェイ１２内に熱蒸発することができ、第１の化合物１６を含むエアロゾルをエアウェイ１２内の気流に形成する。
【００２２】
[0035]ある実施形態において、図１にしたがった第１の化合物１６の複数用量の肺内送出用の装置の操作を、下記のように説明することができる。患者は、装置の出口２１で吸入することができ、エアウェイ１２を通る気流を生成する。作動機構２３は、一定の気流速度の検出時に、コントローラ３３に信号を送ることができる。作動機構２３からの信号の受信時に、コントローラ３３は、第１の化合物１６を備える第１の区域１４の下にある抵抗加熱要素１８の１つに、電源３１を電気的に接続することができる。抵抗加熱要素１８によって生成された熱は、サポート１３を通って伝導されることができ、第１の区域１４を加熱し、第１の化合物１６を熱蒸発させ、アゴニスト化合物１６を含むエアロゾルをエアウェイ１２に形成する。次いで、第１の化合物１６を含むエアロゾルは、吸入中に患者に投与することができ、患者の気道に１用量の第１の化合物１６を送出する。ある実施形態において、装置の起動及び１用量の第１の化合物１６の投与が、単一吸入中に発生することができる。
【００２３】
[0036]ある実施形態において、第１の化合物１６のその次の用量の送出のために、同一のプロセスを行うことができるが、コントローラ３３が第２の抵抗加熱要素２７を電源３１に接続することができることが異なる。一定の気流速度の検知時に作動機構２３によって起動されるときには、第２の抵抗加熱要素２７が、第２の第１の区域１４に配置された第１の化合物１６を熱蒸発させ、エアウェイ１２を通る気流にエアロゾルを形成する。ある実施形態において、コントローラ３３は、抵抗加熱要素が、第２の区域１５に配置された第２の化合物１７を加熱し解放するのを防止する。
【００２４】
[0037]ある実施形態において、第１の化合物１６に誤用は、第２の化合物１７を備える第２の区域１５を、第１の化合物１６を備える第１の区域１４の間に置くことによって、且つ／又は、第１の化合物１６及び第２の化合物１７を視覚的に見分けがつかないようにすることによって、最小限にされるか又は防止されることができる。
【００２５】
[0038]ある実施形態において、装置は、例えば、定量噴霧式吸入器（ＭＤＩ）、ドライパウダー吸入器（ＤＰＩ）、小容量ネブライザー、大容量ネブライザー、超音波ネブライザー、鼻スプレー等の従来のエアロゾル送出機器に適応されることができる。ある実施形態において、ネブライザー吸入器は、高速度空気のストリームを生成することができ、これは、治療薬を霧として噴射させることができ、これは、次いで、患者の気道内に運び込まれることができる。治療薬は、典型的に１０μｍ未満の直径を呈する微粉末化粒子の溶液又は懸濁液等の液体形態に処方することができる。ある実施形態において、ＤＰＩは、吸気中に患者の気流（エアストリーム）に分散されることができる自由に流れる粉末の形態で治療薬を投与することができる。ドライパウダー製剤は、ドライパウダーディスペンザー内に、又は、ドライパウダーエアロゾル送出装置とともに使用するための吸入カートリッジ又はカプセル内に、装填されることができる。ある実施形態において、ＭＤＩは、圧縮された高圧ガス気体を使用して、測定された量の治療薬を排出することができる。ＭＤＩ投与用の製剤は、液化高圧ガスに活性成分の溶液又は懸濁液を含むことができる。製剤は、エアロゾルキャニスタに装填されることができ、これは、ＭＤＩ装置の一部を形成することができる。
【００２６】
[0039]ＭＤＩフォーマットに適合された装置のある実施形態が、図２に概略的に例示される。図２は、エアウェイ１２を画成するハウジング１１を備える吸入装置を例示する。エアウェイ１２は、入口２０及び出口２１を含み、患者が装置の出口２１で口又は鼻のいずれかを通して吸入するときに気流がエアウェイ１２に生成されることができるようにする。他の実施形態では、入口２０は省略され、気体の流れは、加圧された材料の解放によってのみ生成される。ある実施形態では、エアウェイ１２が省略され、エアロゾルは、直接、弁４２から環境内に解放される。ある実施形態において、装置は、第１の化合物１６を備える第１の区域１４と、第２の化合物１７を備える第２の区域１５と、を備えることができる。ある実施形態において、第１の区域１４は、カートリッジ又はキャニスタの形態のサポート２８によって画成されることができ、第２の区域１５は、これもまたカートリッジ又はキャニスタの形態であってもよいサポート２９によって画成されることができる。第１の化合物１６及び第２の化合物１７は、ヒドロフルオロアルカン等の液化高圧ガスを含む溶液又は懸濁液の形態でそれぞれのカートリッジ又はキャニスタ内に保持されることができる。
【００２７】
[0040]ある実施形態において、図２に例示された装置は、患者が手でカートリッジ２８及び２９をエアウェイ１２へ向けて押すことによって起動されることができる。一定の距離だけエアウェイ１２へ向けて平行移動されるときに、作動機構４０が、例えば弁４２を備える解放機構を開くことができ、第１の区域１４内の高圧ガスが、第１の化合物１６を含む液体懸濁液の１用量をエアウェイ１２内に注入するのを可能にし、第１の化合物１６を含むエアロゾルを気流に形成する。ある実施形態において、カートリッジ２８及び２９を繰り返して圧縮して弁４２を再度開くことによって、第１の化合物１６のその次の用量をエアウェイ１２内に解放することができる。
【００２８】
[0041]装置のある実施形態が、図３に概略的に例示される。図３は、サポート１３がディスクの形態であってもよく且つ解放機構が光学的加熱を備えるある実施形態を例示する。ある実施形態において、サポート１３は、第１の化合物１６の薄膜を備える第１の区域１４と、第２の化合物１７を備える第２の区域１５と、を備えることができる。ある実施形態において、第１の区域１４及び第２の区域１５は、サポート１３の周辺近傍で第１の表面２５に位置するストライプを備えることができる。ある実施形態において、第１の区域１４及び第２の区域１５は、サポート１３の第１の表面２５に位置する複数の第１の区域１４及び第２の区域１５を備えることができる。ある実施形態において、複数の第１の区域１４及び複数の第２の区域１５は、散在されることができる。ある実施形態において、サポート１３は、ステンレス鋼等の熱伝導材料であってもよい。
【００２９】
[0042]図３に例示された装置のある実施形態において、サポート１３の一定の回転位置用に、第１の区域１４及び第２の区域１５の一部は、ハウジング１１によって画成されたエアウェイ１２に連結されることができる。ある実施形態において、第１の区域１４及び第２の区域１５の異なる部分は、回転機構４７を使用してサポートディスク１３を回転することによって、エアウェイ１２に連結されることができる。ある実施形態において、異なる第１の区域１４及び第２の区域１５が、回転機構４７によってエアウェイ１２内に回転されることができる。ある実施形態において、回転機構４７は、手動の及び／又は電子の前進機構を備えることができる。
【００３０】
[0043]ある実施形態において、加熱解放機構は、光学源４２を備えることができ、キセノン閃光電球等の光学放射線４１を生成し、光学アセンブリはレンズ４４及び反射体４５を含むことができ、エアウェイ１２に連結された第１の化合物１６を備える第１の区域１４の少なくとも一部の下にあるサポート１３の第２の表面２６に位置する区域４６に光学放射線４１を方向づけ焦点を合わせる。
【００３１】
[0044]図３にしたがった装置の操作の例として、患者は、ハウジング１１の出口２１で吸入することができ、エアウェイ１２に気流を形成する。一定の気流速度で、作動機構２３は信号をコントローラ３３へ送ることができる。次いで、コントローラ３３は、電源３１を光学源４２へ接続することができ、光学放射線４１を生成する。次いで、光学放射線４１は、区域４６に方向づけられ焦点を合わせられることができ、第１の区域１４の下にあるサポート１３の局所加熱を発生させる。次いで、サポート１３の区域４６で生成された熱は、第１の区域１４の一部へ伝導されることができ、第１の化合物１６を気流内に熱蒸発させ、エアウェイ１２に第１の化合物１６のエアロゾルを形成し、それは、次いで、患者によって吸入されることができる。ある実施形態において、装置の起動及び第１の化合物１６の投与は、患者による単一の吸入中に発生することができる。
【００３２】
[0045]ある実施形態において、第１の化合物１６のその次の用量は、サポート１３を前進させて、第１の区域１４の新しい部分及び／又は少なくとも１つの新しい第１の区域１４をエアウェイ１２に及び光学放射線４１に連結することによって、投与されることができる。
【００３３】
[0046]ある実施形態において、装置は、図４に概略的に例示されることができる。図４は、第１の化合物１６を備える第１の区域１４及び第２の化合物１７を備える第２の区域１５を有するテープの形態のサポート１３を例示する。ある実施形態において、サポート１３は、例えば、第１の化合物１６及び第２の化合物１７を含むための窪みを有する金属箔を備えることができる。ある実施形態において、窪みは、第１の化合物１６及び第２の化合物１７がドライパウダー、液体及び／又は薄膜の形態であってもよいように、第１の化合物１６及び第２の化合物１７の保持を容易にすることができる。ある実施形態において、サポート１３は、第１の化合物１６及び第２の化合物１７が配置されるサポート１３の第１の表面２５に位置する保護層７５をさらに備えることができる。ある実施形態において、保護層７５は、機械的に且つ／又は環境的に化合物を保護するように機能することができるポリマー又は金属箔を含むことができ、ある実施形態では、サポート１３の第１の表面２５に封止されることができる。
【００３４】
[0047]ある実施形態において、サポート１３は、リールトゥリール機構７２に機械的に連結されることができる。ある実施形態において、リールトゥリール機構７２を前進させることが、サポート１３を動かすことができ、第１の化合物１６が配置される第１の区域１４を備えるサポート１３の一部を、ハウジング１１によって画成されたエアウェイ１２に及び解放機構１８に連結する。
【００３５】
[0048]図４に例示された装置のある実施形態の操作の例として、リールトゥリール機構７２はサポート１３を前進させることができ、第１の化合物１６を備える第１の区域１４をエアウェイ１２へ、解放機構１８へ連結する。ある実施形態において、解放機構１８は、例えば、超音波源、熱源、又は、電磁放射線の源を備えることができる。前進中に、保護層７５を、サポート１３の第１の表面２５から取り除くことができ、第１の化合物１６の少なくとも１用量を露出する。
【００３６】
[0049]患者は、エアウェイ１２の出口（図示せず）で吸引することができ、エアウェイ１２に気流を生成する。図４に例示された装置のある実施形態において、一定の気流速度が作動機構２３によって測定されるときには、信号をコントローラ３３へ送ることができる。コントローラ３３は、電源３１を解放機構１８へ電気的に接続することができ、第１の化合物１６をエアウェイ１２内に解放し、第１の化合物１６を含むエアロゾルを形成する。例えば、ある実施形態において、解放機構１８は、超音波源であってもよく、それは、音響パルスを生成することができ、第１の化合物１６を第１の区域１４からエアウェイ１２内に排出し、第１の化合物１６を含むエアロゾルを形成する。ある実施形態において、第１の化合物１６を含むエアロゾルは、次いで、患者によって吸入されることができる。ある実施形態において、第１の化合物１６を第１の区域１４から解放するのに続いて、リールトゥリール機構７２は、サポート１３を前進させて、第２の第１の区域１４をエアウェイ１２及び解放機構１８に連結する。解放機構１８の作動時に、第１の化合物１６の第２の用量をエアウェイ１２内に解放することができる。
【００３７】
[0050]ある実施形態において、第１の化合物１６の濫用の可能性を防止するか最小限にするために、第１の化合物１６を備える第１の区域１４及び第２の化合物１７を備える第２の区域１５は、サポート１３の長さ方向に沿って、無作為に散在することができる。ある実施形態において、コントローラ３３をプログラムして、第１の化合物１６を備える第１の区域１４のみがエアウェイ１２に及び解放機構１８に連結されることができるように、リールトゥリール機構７２を前進させることができる。
【００３８】
[0051]本発明のある実施形態は、ここにさらに説明される。
【００３９】
[0052]ある実施形態において、ハウジングは、エアウェイの形状及び寸法を画成することができ、少なくとも１つの入口及び少なくとも１つの出口を備えることができる。ある実施形態において、ハウジングは、２つ以上のエアウェイを画成することができる。ある実施形態において、ハウジングは、エアロゾルを肺内投与するためにいずれの適切な形状又は寸法であってもよい。ある実施形態において、ハウジングは、患者による携帯使用のために適切な形状及び寸法を有することができる。「患者」は、哺乳類及びヒトを含む。ある実施形態において、ハウジングは、少なくとも１つのサポート、電子コントローラ、解放機構、作動センサ、ロックアウト機構、さらに他の構成要素及び／又は特徴を収容し且つ／又は組み込むように設計されることができる。
【００４０】
[0053]ある実施形態において、エアウェイの寸法は、単一の吸入で患者によって口又は鼻を通って吸入されることができる空気の体積、エアウェイを通る気流の意図された率、及び／又は、エアウェイに連結され且つ少なくとも１つの第１の区域が配置されるサポートの表面における意図された気流速度によって、少なくとも部分的に決定されることができる。ある実施形態において、エアウェイの出口で口で吸入する患者によって、及び／又は、エアウェイの出口で鼻で吸入することによって、気流を生成することができる。ある実施形態において、例えば、空気及び／又は気体で満たされた可撓性のある容器を機械的に圧縮することによって、又は、加圧された空気及び／又は気体をエアウェイの入口内に解放することによって、空気を入口内に注入することによって、気流を生成することができる。ある実施形態において、気流又はエアウェイがなく、装置は、例えば、弁又は小さな穴を通して圧力下の液体を進めることによって、エアロゾルを直接環境内に解放する。
【００４１】
[0054]ある実施形態において、ハウジングは、第１の化合物を第１の区域からエアウェイ内に解放した後に第１の化合物のエアロゾルを生成するのに十分にエアウェイを通る気流速度を提供するように寸法づけられることができる。ある実施形態において、気流速度は、第１の化合物が解放される第１の区域の近隣で少なくとも１ｍ／秒でありうる。
【００４２】
[0055]ある実施形態において、ハウジングは、エアウェイを通る一定の気流率を提供するように寸法づけられることができる。ある実施形態において、エアウェイを通る気流率は、１０Ｌ／分〜１２０Ｌ／分の範囲であってもよい。ある実施形態において、気流率は、１０〜６０Ｌ／分の範囲であってもよく、他の実施形態では、１０〜４０Ｌ／分の範囲であってもよい。ある実施形態において、１０Ｌ／分〜１２０Ｌ／分の範囲の気流率は、出口が０．１ｃｍ2〜２０ｃｍ2の範囲の断面積を呈するときに、患者による吸入中に生成されることができる。ある実施形態において、出口の断面積は、０．５ｃｍ2〜５ｃｍ2の範囲であってもよく、ある実施形態では、１ｃｍ2〜２ｃｍ2の範囲であってもよい。
【００４３】
[0056]ある実施形態において、エアウェイは、エアウェイの気流率及び気流速度を制御するために、１つ以上の気流制御弁を備えることができる。ある実施形態において、気流制御弁は、少なくとも１つの弁、例えば、アンブレラバルブ、リード弁、ボールバルブ、圧力差に応答して曲がるフラップ弁等を備えることができるが、それらに限定されない。ある実施形態において、気流制御弁は、気流の出口に、気流の入口に、エアウェイ内に位置することができ、且つ／又は、エアウェイを画成するハウジングの壁内に組み込まれることができる。ある実施形態において、気流制御弁は、エアウェイ内に位置するトランデューサによって提供された信号が弁の位置を制御することができるように、又は、受動的に、例えば、エアウェイと装置の外部との間の圧力差等によって、電子的に起動されることができる。
【００４４】
[0057]ある実施形態において、装置は、第１の区域及び第２の区域から選択された少なくとも１つの区域を備える少なくとも１つのサポートを備える。ある実施形態において、サポートは、第１の化合物、第２の化合物、又は、第１の化合物及び第２の化合物の両方を保持することができる。
【００４５】
[0058]ある実施形態において、サポートは、解放機構、又は、解放機構の一定の要素を備えることができる。
【００４６】
[0059]ある実施形態において、サポートは、いずれの適切な形状及び寸法を備えることができる。サポート用の一定の形状として、矩形インサート、円筒形インサート、容器、カートリッジ、ディスク、テープ等が挙げられるが、それらに限定されない。ある実施形態において、サポートは、別個の要素であってもよく、又は、別の要素の表面であってもよい。例えば、ある実施形態において、サポートは、ハウジングの内壁であってもよく、又は、解放機構の外壁、例えば、ヒートパッケージの外壁であってもよい。ある実施形態において、サポートは、サポートが内部体積を画成する容器等のエンクロージャであってもよい。
【００４７】
[0060]サポートのある実施形態は、図１、２、３及び４に概略的に例示される。
【００４８】
[0061]サポートのある実施形態は、図１に概略的に例示される。図１に示されるように、サポート１３は、エアウェイ１２内に配置される矩形パネルの形態で単一の構造物を備えることができる。ある実施形態において、サポート１３は、サポート１３の第１の表面２５に配置された２つの第１の区域１４及び第２の区域１５を備えることができ、それらはすべてエアウェイ１２内に配置される。第１の区域１４及び第２の区域は、位置的に弁別可能であることができ、区域は別々であり重ならないことを意味する。ある実施形態（図示せず）において、第１の区域１４及び第２の区域１５は、サポート１３の２つ以上の表面に配置されることができる。図１に例示されたサポートは、サポート１３の第２の表面２６に配置された抵抗加熱要素を備える解放機構１８を備えることができる。
【００４９】
[0062]サポートのある実施形態は、図３に概略的に例示される。サポート１３は、ディスクの周辺近傍に配置された第１の区域１４及び第２の区域を備えるディスクの形態で単一のサポートを備えることができる。ある実施形態において、サポート１３の一部のみが、サポート１３の特定の回転位置のために、エアウェイ１２に及び解放機構４１に連結されることができる。ある実施形態において、サポート１３は、サポート１３が一定の量を回転されるか割送りされることができ第１の区域１４の追加部分をエアウェイ１２に及び解放機構４１に連結するように、動くように構成された機構４７に連結されることができる。
【００５０】
[0063]サポートのある実施形態は、図４に例示され、これは、２つ以上の第１の区域１４を備えるテープの形態で単一のサポート１３を含む。ある実施形態において、サポート１３は、サポート１３が前進されるか割送りされることができ少なくとも１つの区域１４をエアウェイ１２に及び解放機構１８に連結するように、リールトゥリール機構７２に機械的に連結されることができる。
【００５１】
[0064]ある実施形態において、図２に例示された装置は、第１の区域１４を備える第１のサポート２８及び第２の区域１５を備える第２のサポート２９を備えることができる。ある実施形態において、サポート２８及び２９は、平坦なインサートを備えることができ、それぞれ第１の化合物１６及び第２の化合物１７を備える区域を画成する。ある実施形態において、サポート２８及び２９は、カートリッジ、キャニスタ又はカプセルを備えることができ、それぞれ第１の化合物１６及び第２の化合物１７を備える別個の体積を画成する。
【００５２】
[0065]ある実施形態において、サポートは、マルチレーヤー構造物を備えることができる。例えば、サポートは、異なる材料製の２つ以上の層を備えることができ、第２の化合物を解放せずに第１の化合物の選択的な解放を可能にするか又は容易にする。サポートを備える２つ以上の層は、サポートの１つ以上の表面上に延在することができるか、又は、サポートの一定の画成された領域に位置することができる。ある実施形態において、第１の化合物が配置される第１の区域、及び、第２の化合物が配置される第２の区域は、異なる組成物の１つ以上の層を備えることができる。層の組成物は、第２の化合物を第２の区域から解放せずに第１の化合物を第１の区域から選択的に解放するのを容易にするように選択されることができる。
【００５３】
[0066]ある実施形態において、第１及び第２の区域の下にある層は、異なる熱伝導特性を有することができる。例えば、第１の区域の下にある層は熱伝導性であってもよく、他方、第２の区域の下にある層は、断熱材を備えることができる。そのような構造物では、熱解放機構によって生成された熱は、第１の化合物へより容易に伝導されることができ、それによって、第１の化合物の選択的な解放を容易にする。
【００５４】
[0067]マルチレーヤーサポートのある実施形態は、図５Ａ、５Ｂ及び６に例示される。図５Ａ及び５Ｂは、マルチレーヤーサポート１３を例示し、これは、第１の化合物１６の薄膜及び第２の化合物１７の薄膜に加えて、抵抗加熱要素３２、第２の化合物１７の下にある断熱層３６、及び、第１の化合物１６の下にある熱伝導層３７を含む。ある実施形態において、抵抗加熱要素３２は、サポート１３の第２の側部２６に位置することができ、サポート１３の第１の表面２５に配置された第１及び第２の区域１５の下にあることができる。ある実施形態において、抵抗加熱要素３２は、電流が加えられるときに熱を生成するカーボンインク等の電気抵抗性材料の層を含むことができる。ある実施形態において、抵抗加熱要素３２は、電気接触区域３４を含むことができ、加熱要素を制御回路（図示せず）へ電気的に接続する。ある実施形態において、第１の化合物１６を備える第１の区域１４の下にある抵抗加熱要素に電力が加えられるときに、生成された熱は、第２の化合物１７への熱伝導を最小限にしながら、第１の化合物１６へ伝導されることができる。断熱層３６は、例えば、ポリマー又はセラミックであってもよい。熱伝導層３７は、例えば、銅、ニッケル、アルミニウム、又は、ステンレス鋼等の金属であってもよい。
【００５５】
[0068]ある実施形態において、第１及び第２の区域の下にある層は、異なる電気抵抗特性を有することができる。例えば、第１の区域の下にある層は、第２の区域の下にある層のものに比較して、高い電気抵抗を有することができる。
【００５６】
[0069]ある実施形態において、第１の化合物の選択的な解放を容易にするために、第１の化合物は第１の電気伝導性サポートの表面に配置されることができ、第２の化合物は第２の電気伝導性サポートの表面に配置されることができ、第１のサポートの電気抵抗は第２のサポートのものよりも高い。２つのサポートを通って同量の電流が進むことが、第１のサポートを選択的に加熱することができ、第１の化合物を選択的に解放する。ある実施形態において、第１のサポートは例えばステンレス鋼を備えることができ、第２のサポートは、銅又はアルミニウム等のより低い抵抗率を有する金属を備えることができる。ある実施形態において、異なる抵抗率は、異なる厚さを有する、伝導性サポート又はサポートに配置された伝導層を使用することによって、形成されることができる。例えば、ある実施形態において、第１の化合物は、セラミック等の非伝導性サポートに配置された金又は他の電気伝導性材料の薄い層に配置されることができる。第２の化合物は、金の層に又は他の電気伝導性材料に配置されることができ、それは第１の化合物に下にある金の層よりも厚く、これもまた、セラミック等の非伝導性サポートに配置されることができる。両方の金の層を通って進む電流は、より薄い金層を区別して加熱することができ、それは、第２の化合物の下にあるより厚い金層のものよりも、より高い抵抗率を呈し、第１の化合物の下にあり、それによって、第１の化合物をサポートから選択的に解放することができる。
【００５７】
[0070]ある実施形態において、層は、第１の化合物及び第２の化合物上に配置された保護カバーとして機能することができる。ある実施形態において、２つ以上の層が保護層であってもよく、第１の化合物の解放を容易にするために着脱自在であってもよい。ある実施形態において、保護層は、例えば、金属箔層、プラスチックラミネート層等を備えることができる。ある実施形態において、２つ以上の層から形成された保護層が、接着剤、クリンピング、ヒートシール等を使用してサポートに封止されることができる。ある実施形態において、保護層は、第１の化合物を環境的劣化から保護することができるか、又は、パッケージされるときに隣接する表面との相互作用から第１の化合物を機械的に保護することができる。ある実施形態において、保護層は、サポートから機械的に引かれることができ、第１の化合物をエアウェイ及び解放機構に連結する直前に第１の化合物を露出する。保護層を有するサポートのある実施形態は、図４に例示される。
【００５８】
[0071]ある実施形態において、サポートは、二次元表面を備えることができる。ある実施形態において、サポートは、第１の化合物が配置される第１の区域に接触している窪みを備えることができる。窪みは、例えば、第１の化合物の薄膜用に機械的保護を提供することができ、且つ／又は、粉末又は液体形態の第１の化合物の保持を容易にすることができる。窪みを有するサポートの例は、図４に例示される。
【００５９】
[0072]ある実施形態において、サポートは、スロット、穿孔又は開口区域を備えることができ、それらは、例えば、整列配置のため、前進機構への連結のため、又は、第１の化合物を備える第１の区域を第２の化合物を備える第２の区域から熱的に断絶するために、使用されることができる。
【００６０】
[0073]ある実施形態において、サポートは、第１の区域及び第２の区域から選択された少なくとも１つの区域を備えることができる。区域は、本願で使用されるように、位置的に弁別可能な領域を意味する。ある実施形態において、区域は、サポートの表面の二次元の位置的に弁別可能な部分を備えることができる。ある実施形態において、区域は、サポートによって画成された三次元の位置的に弁別可能な体積を備えることができる。区域を使用して、例えば、図１に例示されるように、第１の区域１４及び第２の区域１５等のサポートの位置的に弁別可能な部分を意味するか、又は、図２に例示されるように、それぞれ容器２８及び２９によって画成された第１の区域１４及び第２の区域１５等のサポートによって画成された位置的に弁別可能な体積を意味することができる。
【００６１】
[0074]ある実施形態において、サポートは、単一の第１の区域を、ある実施形態では、２つ以上の第１の区域を、備えることができる。ある実施形態において、サポートは、単一の第２の区域を、ある実施形態では、２つ以上の第２の区域を、備えることができる。ある実施形態において、サポートは、単一の第１の区域及び単一の第２の区域を、単一の第１の区域及び２つ以上の第２の区域を、２つ以上の第１の区域及び単一の第２の区域を、又は、２つ以上の第１の区域及び２つ以上の第２の区域を、備えることができる。
【００６２】
[0075]ある実施形態において、第１の区域及び第２の区域は、いずれの適切な形状及び寸法を備えることができる。１つ以上のサポートに配置された第１の区域及び第２の区域の形状及び寸法は、同一であっても異なってもよい。ある実施形態において、第１の区域及び第２の区域の適切な形状及び寸法は、少なくとも部分的には、区域が配置されるサポートの形状及び寸法、装置に使用される解放機構、第１の区域に配置された第１の化合物の物理的形態、及び／又は、第１の区域に配置された第２の化合物の物理的形態によって決定されることができる。例えば、二次元表面に配置されるときには、第１の区域及び第２の区域は、ドット、方形、矩形、円、ストライプ、線の形状であってもよく、又は、不規則な形状を呈してもよい。ある実施形態において、第１の区域及び第２の区域は三次元の体積を備えており、第１の区域及び第２の区域は、シリンダ又はパケット等の区域を画成するエンクロージャの形状を取ることができる。ある実施形態において、装置及び／又はサポートを備える第１の区域の合計数及び第２の区域の合計数は、同一であっても異なってもよく、装置及び／又はサポートを備える第１の区域及び第２の区域の合計表面積及び／又は体積は、同一であっても異なってもよい。
【００６３】
[0076]ある実施形態において、第１の区域及び第２の区域は、解放機構による以外の、第１の区域に配置された第１の化合物の選択的な除去を困難にするか又は防止するように位置決めされることができる。選択的な除去は、第２の区域に配置された第２の化合物を除去せずに第１の区域に配置された第１の化合物を除去することができることを意味する。例えば、ある実施形態において、第１の区域及び第２の区域は、散在することができる。複数の第１の区域及び複数の第２の区域が散在する例が、図７Ａ、７Ｂ及び７Ｃに概略的に例示される。図示のように、図７Ａは、サポート１３の表面に配置された散在された第１の区域１４及び第２の区域１５の列を例示する。図示のように、図７Ｂは、複数の第１の区域１４及び複数の第２の区域１５が不規則に散在される例を例示する。図７Ｃは、サポート１３の表面に配置された散在された第１の区域１４及び第２の区域１５の列を例示する。
【００６４】
[0077]ある実施形態において、第１の区域から第１の化合物を選択的に除去するのを困難にすることは、第１の区域及び第２の区域を空間的に密に近接して位置づけることによって実現されることができる。ある実施形態において、隣り合う第１の区域及び第２の区域を５ｃｍ未満だけ分離することができ、ある実施形態では２．５ｃｍ未満、ある実施形態では１ｃｍ未満、ある実施形態では０．５ｃｍ未満、ある実施形態では０．２５ｃｍ未満、及び、ある実施形態では０．１ｃｍ未満だけ分離することができる。
【００６５】
[0078]ある実施形態において、隣り合う第１の区域及び第２の区域の間の最小分離は、少なくとも部分的には、第２の区域から第２の化合物を解放せずに第１の区域から第１の化合物を選択的に解放するのを可能にすることができる最小分離によって、決定されることができる。ある実施形態において、これは、部分的には、装置に使用される特定の解放機構によって、及び、第１及び第２の区域が配置されるサポートの材料組成によって、決定されることができる。例えば、熱解放機構が使用されるある実施形態において、第１の化合物及び第２の化合物は、熱的に断絶されることができる。ある実施形態において、断熱は、例えば、区域を空間的に分離することによってだけではなく、先に説明したように、異なる熱特性を備えた材料の複数の層を使用することによっても、達成されることができる。ある実施形態において、サポートはまた、第１の化合物及び第２の化合物を熱的に断絶するための物理的特性も含むことができる。例えば、サポートは、サポートがウェブの形態であってもよいように、隣り合う第１の区域及び第２の区域の間に位置する開口を含むことができる。ある実施形態において、サポートは、第１の区域及び第２の区域の間に位置する断熱材を含むことができる。ある実施形態において、図２に概略的に例示されるように、第１の化合物１６及び第２の化合物１７は、物理的に独立した容器に保持されることができる。
【００６６】
[0079]ある実施形態において、第１の化合物は、第１の区域に配置されることができる。第１の化合物は、薬剤等の化学物質を意味する。ある実施形態において、第１の化合物は、細胞受容体と組み合わせることができ且つ典型的に内因性物質の結合によって生成される反応又は活動を開始することができる薬剤である。
【００６７】
[0080]ある実施形態において、第１の化合物は、第１の化合物の最小の劣化、反応又は改質で解放機構によって第１の区域から解放されることができるいずれの物理的形態で第１の区域に配置されることができる。第１の区域に配置される第１の化合物の適切な物理的形態は、少なくとも部分的には、特定の実施形態に使用される解放機構によって決定されることができる。例えば、第１の区域に配置された第１の化合物は、固体薄膜、粉末、微粒子又は液体を備えることができる。ある実施形態において、第１の化合物は粉末を備え、第１の化合物を含む粒子は、０．１μｍ〜１００μｍの範囲の直径を呈することができる。ある実施形態において、第１の化合物は固体薄膜を備え、薄膜の厚さは、３０μｍ未満であってもよく、ある実施形態では２０μｍ未満、ある実施形態では１０μｍ未満であってもよい。薄膜の適切な厚さは、少なくとも部分的には、第１の化合物が最小の劣化又は反応でエアウェイ内に解放されることができるフィルム厚さによって決定されることができる。例えば、熱蒸発解放機構を使用する適切なフィルム厚さは、１０μｍ未満且つ０．０１μｍを超えるものでありうる。
【００６８】
[0081]ある実施形態において、第１の化合物は、いずれの適切な化学形態を含むことができ、それは、少なくとも部分的には、特定の実施形態に使用される特定の解放機構によって決定されることができ、例えば保管中又は第１の区域から解放中に、第１の化合物の劣化、反応又は改質を最小限にする。例えば第１の化合物が液体に溶解されるか又は懸濁されるある実施形態において、第１の化合物は、第１の化合物の塩の形態であってもよい。第１の化合物が固体薄膜として第１の区域に配置されるある実施形態において、第１の化合物は、純粋形態（例えば、遊離塩基又は遊離酸の形態）であってもよく、ある実施形態では、第１の化合物は、結晶性であってもよく、又は、非晶質であってもよい。
【００６９】
[0082]ある実施形態において、第１の化合物は、製薬的に容認可能な化合物を含むことができる。「製薬的に容認可能な」は、連邦政府又は州政府の監督官庁によって承認されたか承認可能であるか、又は、動物に及びより詳細にはヒトに使用されるために米国薬局方又は他の一般に認識された薬局方にリストされていることを意味する。肺内投与は、製薬化合物を患者の体循環内に速やかに導入することができるため、第１の化合物は、治療の即座の発現が示される製薬化合物であってもよい。
【００７０】
[0083]治療の即座の発現が示される製薬化合物の１つのそのようなクラスの例は、疼痛の治療用のオピオイド鎮痛薬である。オピオイド鎮痛薬は、術後疼痛、癌性疼痛、背痛、頭痛、及び、中度から重度の疼痛の大半の他の形態の治療に使用することができる。したがって、ある実施形態において、第１の化合物は、オピオイド鎮痛薬を含むことができ、例えば、フェンタニル、サフェンタニル、レミフェンタニル、モルヒネ、ヒドロモルホン、オキシモルホン、コデイン、ヒドロコドン、オキシコドン、メペリジン、メタドン、ナルブフィン、ブプレノルフィン、及び、ブオルファノール（ｂｕｏｒｐｈａｎｏｌ）等である。
【００７１】
[0084]ある実施形態に有用な製薬化合物の別のクラスは、急性パニック発作、急性不安及び睡眠誘導の治療用のベンゾジアゼピン等の催眠鎮静薬を含む。ある実施形態において、第１の化合物は、非ベンゾジアゼピン催眠鎮静薬を含むことができ、例えば、プロポフォール、抱水クロラール、ザレプロン、ゾルピデム、ゾピクロン、インディプロン、ペントバルビタール及び他のバルビツール酸系催眠薬を含む。ある実施形態において、第１の化合物は、ベンゾジアゼピン催眠鎮静薬を含むことができ、例えば、クロルジアゼポキシド、クロナゼパム、クロラゼパート、ジアゼパム、フルラゼパム、エスタゾラム、ロラゼパム、テマゼパム、アルプラゾラム、オキサゼパム及びトリアゾラムを含む。
【００７２】
[0085]ある実施形態に有用な製薬化合物の別のクラスは、例えば、拒食症、吐き気、嘔吐、多発性硬化症及び疼痛を治療するためのカンナビノイドアゴニストを含む。ある実施形態において、第１の化合物は、カンナビノイドアゴニスト、例えば、ドロナビノール及びカンナビジオール等を含むことができる。
【００７３】
[0086]ある実施形態に有用な製薬化合物の別のクラスは、例えば、パーキンソン病及び鬱を治療するためのドパミン作動薬を含む。ある実施形態において、第１の化合物は、ドパミン作動薬、例えば、ブロモクリプチン、レボドパ、ペルゴルデ（ｐｅｒｇｏｌｄｅ）、プラミペキソール、ロピニロール及びセレギリン等を含むことができる。
【００７４】
[0087]ある実施形態に有用な製薬化合物の別のクラスは、例えば、注意欠陥多動性障害、覚醒の促進及び鬱を治療するための興奮剤を含む。ある実施形態において、第１の化合物は、興奮剤、例えば、アンフェタミン、メチルフェニデート、モダフィニル、フェンテルミン及びシブトラミン等を含むことができる。
【００７５】
[0088]ある実施形態に有用な製薬化合物の別のクラスは、例えば、ホルモン失調及び乳癌を治療するためのステロイドを含む。ある実施形態において、第１の化合物は、ステロイド、例えば、テストステロン、テストステロンの前駆物質、リリースエンハンサー（ｒｅｌｅａｓｅ  ｅｎｈａｎｃｅｒ）及び薬理類似物（ｐｈａｒｍａｃｏｌｏｇｉｃａｌ  ｍｉｍｉｃｓ）等を含むことができる。
【００７６】
[0089]ある実施形態において、第１の化合物は、単一の製薬化合物を備えることができるか、又は、２つ以上の製薬化合物の組み合わせを備えることができる。ある実施形態において、第１の化合物は、第１の化合物を含む製薬組成物、及び、製薬的に容認可能なキャリアを備えることができる。ある実施形態において、キャリアは、例えば、溶剤、賦形剤及び／又は微粒子を備えることができる。ある実施形態において、そのようなキャリアは、例えば、「Ｒｅｍｉｎｇｔｏｎ：Ｔｈｅ  Ｓｃｉｅｎｃｅ  ａｎｄ  Ｐｒａｃｔｉｃｅ  ｏｆ  Ｐｈａｒｍａｃｙ」、第２０版、Ｌｉｐｐｉｎｃｏｔｔ  Ｗｉｌｌｉａｍｓ  ＆  Ｗｉｌｋｉｎｓ、ペンシルベニア州、フィラデルフィア、２０００に見出されるような製薬組成物に適していると一般に認識されるものを含むことができる。
【００７７】
[0090]ある実施形態において、第１の化合物を含む組成物は、解放、エアロゾル形成、肺内送出、治療効力、治療有効性、安定性等を高めるための物質を含むことができる。例えば、治療効力を高めるために、第１の化合物は、肺胞を通る第１の化合物の吸収又は拡散を増大するか又は体循環内で第１の化合物が劣化するのを抑制するための、活性剤と同時投与されることができる。ある実施形態において、第１の化合物は、液体溶剤内の化学安定性を高めるために塩の形態であってもよい。ある実施形態において、第１の化合物は、熱蒸発による解放を容易にするために非複合形態であってもよい。ある実施形態において、第１の化合物は、第１の化合物の治療効力を高める薬理効果を有する活性剤と同時投与されることができる。ある実施形態において、第１の化合物は、１つ以上の疾病、状態又は障害を治療するのに使用されることができる化合物を含むことができる。
【００７８】
[0091]ある実施形態において、第１の化合物は、濫用可能物質を含むことができる。「濫用可能物質」は、例えば、処方された用量又は意図された用量を超えて投与することによって、又は、投与のルートを意図されたルートから変えることによって、不適切に使用される可能性がある物質を意味する。例えば、オピオイド鎮痛薬は、疼痛の治療のために治療的にではなく、陶酔感を引き出すためにオピオイド鎮痛薬を使用することによって、濫用される可能性がある。濫用可能物質は、薬物濫用の防止に焦点を合わせた監督官庁、例えば米国麻薬取締局（ＤＥＡ）によって、規制された物質を含む。ある実施形態において、濫用可能物質は、ＤＥＡスケジュールII、III、IV又はVにリストされた物質であってもよい。
【００７９】
[0092]ある実施形態において、第２の化合物は、第２の区域に配置されることができる。第２の化合物は、他方の化学物質の生理活動及び／又は薬理効果を減じるか中和するように作用することができ、且つ／又は、例えば、他方の化学物質を濫用したいという欲求を減じる吐き気、頭痛等を含むがそれらに限定されない効果をもたらす化学物質である。ある実施形態において、第２の化合物は、内因性又は外因性の化学物質の生理活動又は薬理効果を中和することができる。内因性化学物質は、身体又は系の代謝合成に関係するか又はそれによって生成されることを意味する。外因性化学物質は、身体又は系の外部から導入されるか又は生成されることを意味する。外因性化学物質の例は、患者に投与される第１又は第２の化合物である。ある実施形態において、第２の化合物は、第１の化合物の生理活動及び／又は薬理効果を減じるか中和し、且つ／又は、第１の化合物を濫用したいという欲求を減じる化合物であってもよい。
【００８０】
[0093]ある実施形態において、第２の化合物は、製薬的に容認可能な化合物を含むことができる。ある実施形態において、第２の化合物は、第１の区域に配置された第１の化合物の薬理効果を中和する少なくとも１つの化学物質から選択されることができる。例えば、第１の化合物がオピオイド鎮痛薬を含むある実施形態において、第２の化合物は、オピオイド鎮痛薬のアンタゴニスト、例えば、ナロキソン又はナルトレキソンを含むことができる。ある実施形態において、第１の化合物はオピオイド鎮痛薬フェンタニルを備え、第２の化合物は、少なくとも１つのフェンタニルアンタゴニスト化合物、例えば、ナロキソン又はナルトレキソンを含むことができる。
【００８１】
[0094]ある実施形態において、第１の化合物は催眠鎮静薬を備え、第２の化合物は、催眠鎮静薬のアンタゴニスト、例えば、フルマゼニルを含むことができる。
【００８２】
[0095]ある実施形態において、第１の化合物はカンナビノイドアゴニストを備え、第２の化合物は、カンナビノイドアゴニストのアンタゴニスト、例えば、ＳＲ１４１７１６（リモナバン（ｒｉｍｏｎａｂａｎｔ））を含むことができる。
【００８３】
[0096]ある実施形態において、第１の化合物はドパミン作動薬を備え、第２の化合物は、ドパミン作動薬のアンタゴニスト、例えば、クロザピン、オランザピン、クエチアピン、リスペリドン、ジプラシドン、フルフェナジン、ハロペリドール、ペルフェナジン、ピモジド、チオチキセン、トリフルオペラジン、ロキサピン、モリドン（ｍｏｌｉｄｏｎｅ）、プロクロルペラジン、クロルプロマジン、メソリダジン及びトリオリダジン（ｔｒｉｏｒｉｄａｚｉｎｅ）を含むことができる。
【００８４】
[0097]ある実施形態において、第１の化合物は興奮剤を備え、第２の化合物は、興奮剤のアンタゴニストを含むことができる。
【００８５】
[0098]ある実施形態において、第１の化合物はステロイドを備え、第２の化合物は、ステロイドのアンタゴニストを含むことができる。
【００８６】
[0099]第２の化合物は、単一の製薬化合物か、又は、２つ以上の製薬化合物の組み合わせを含むことができる。ある実施形態において、第２の化合物は、第２の化合物を含む製薬組成物、及び、製薬的に容認可能なキャリアを含むことができる。ある実施形態において、キャリアは、例えば、溶剤、賦形剤及び／又は微粒子を含むことができる。ある実施形態において、第２の化合物は、先に述べたように、解放機構による解放、治療効力、治療有効性、安定性等を抑制するための物質を含むことができる。ある実施形態において、第２の化合物は、１つ以上の第１の化合物の薬理効果を中和することができる化合物をさらに含むことができる。
【００８７】
[00100]解放機構による以外の、第１の化合物を選択的に除去することによって第１の化合物を濫用する可能性を防止するか最小限にするために、第１の区域に配置された第１の化合物、及び、第２の区域に配置された第２の化合物は、一定の類似した物理特性を呈することができる。ある実施形態において、第１の区域に配置された第１の化合物は、第２の区域に配置された第２の化合物から、視覚的に見分けがつかないことが可能である。例えば、ある実施形態において、第１の化合物は粉末の形態であり、第２の化合物もまた粉末であることができる。同様に、ある実施形態において、第１の化合物は薄膜であり、第２の化合物もまた、第１の化合物を含む薄膜の厚さのものに類似した厚さを有する薄膜を備えることができる。整合することができる視覚特性の他の例として、例えば、色及びきめが挙げられる。ある実施形態において、第１の区域に配置された第１の化合物及び第２の区域に配置された第２の化合物は、類似した物理的特徴を呈することができる。例えば、第１の化合物及び第２の化合物は、同一の溶剤に同一又は類似の程度まで溶解可能であり、且つ／又は、同一又は類似の融点を呈することができる。ある実施形態において、化合物は、同一又は類似の平均粒子サイズ又は同一又は類似の粘性を呈することができる。第１の化合物及び第２の化合物の類似した物理的及び視覚的な特徴は、濫用者が２つの化合物を識別し且つ／又は弁別することができるのを困難にすることによって、第１の化合物を濫用することができることを最小限にすることができる。
【００８８】
[0100]ある実施形態において、第１の化合物及び第２の化合物は、それぞれ、いずれの適切な方法によって、第１の区域及び第２の区域に加えられることができる。ある実施形態において、化合物は、液化高圧ガスの溶液又は懸濁液としてそれぞれの区域に加えられることができる。ある実施形態において、化合物は、微粉末化粒子を備える自由に流れる粉末として加えられることができる。ある実施形態において、化合物は、薄膜付着技術、例えば、インクジェット印刷、スプレーコーティング、静電塗装、浸漬被覆等によって、第１及び第２の区域に加えられることができる。ある実施形態において、化合物をそれぞれの区域に加えるのに使用される方法及び材料は、化合物の製薬的容認可能及び治療効力を維持することができる。
【００８９】
[0101]ある実施形態において、装置は、単一用量投与又は複数用量投与機能を提供することができる。用量は、装置の単一起動中に解放される第１の化合物の量を意味する。ある実施形態において、解放される第１の化合物の量は、患者に投与される第１の化合物の量に類似することができる。
【００９０】
[0102]ある実施形態において、解放される第１の化合物の用量は、第１の化合物の治療効果量を表すことができる。「治療効果量」は、疾病、状態又は障害を治療するために患者に投与されるときに、疾病、状態又は障害のそのような治療に影響を与えるのに十分な化合物の量を意味する。「治療効果量」は、化合物、疾病、状態又は障害及びその重度、及び、治療される患者の年齢及び体重に依存して変動しうる。いずれの疾病、状態又は障害を「治療する」又は「治療」は、疾病、状態、症状又は障害の進行を停止させるか改善すること、疾病、状態又は障害を得るリスクを減少すること、疾病、状態、障害、又は、疾病、状態又は障害の少なくとも１つの臨床症状の展開を減少すること、又は、疾病、状態、障害が展開するリスク、又は、疾病又は障害の少なくとも１つの臨床症状が展開するリスクを減少すること、を意味する。「治療する」又は「治療」はまた、物理的に例えば認識できる症状を安定させることによって、又は、生理的に例えば物理的パラメータを安定させることによって、又は両方によって、疾病、状態、症状又は障害を抑制し、患者に認識することができなくてもよい少なくとも１つの物理的パラメータを抑制することも意味する。さらに、「治療する」又は「治療」は、患者が未だ疾病、状態又は障害の症状を経験していないか表していないにもかかわらず、疾病、状態又は障害にさらされている可能性があるか又はかかりやすい患者において、疾病、状態、疾病又は障害、又は、その少なくとも症状の発現を遅らせることを意味する。
【００９１】
[0103]投与される第１の化合物の量は、治療される疾病、状態又は障害、投与される実際の化合物、個別の患者の年齢、体重及び応答、患者の症状の重度等を含む関連状況に鑑みて医者によって決定されることができる。ある実施形態において、投与される第１の化合物の用量は、装置を使用する患者によって決定されることができる。
【００９２】
[0104]ある実施形態において、第１の化合物は、必要に応じて、毎週、毎日、又は、時間のインターバルで、又は、間欠的に、用量が投与される。ある実施形態において、治療計画は、何週間から何ヶ月の範囲の時間の拡張された期間にわたる投与を備えることができ、又は、治療計画は、長期にわたる投与を備えることができる。
【００９３】
[0105]第１の化合物の治療効果量は、多数の要因に依存して変動しうるため、ある実施形態において、用量は、第１の化合物の固定された量か又は予め規定された量を備えることができる。例えば、ある実施形態において、装置を起動することが、単一の第１の区域のみから第１の化合物を解放することができ、単一の第１の区域に配置された第１の化合物は、１用量を備える。ある実施形態において、装置を起動することが、２つの第１の区域から第１の化合物を解放することができ、ある実施形態では、３つ以上の第１の区域からであり、各解放は、第１の化合物の個々の用量に対応する。
【００９４】
[0106]ある実施形態において、用量は、予め設定することができ、ある実施形態では、患者によって制御されることができ、患者が、例えば、治療計画のコース全体にわたって１用量を備える第１の化合物の治療効果量を制定し且つ／又は維持するのを可能にする。ある実施形態において、単一の起動中に解放される第１の化合物の量、例えば、１用量は、固定された量か又は予め規定された量であってもよい。しかし、第１の化合物の治療効果量が多数の要因に依存して変動しうると認めると、単一の起動中に解放される第１の化合物の量は、調整可能でありうる。用量が調整可能でありうるある実施形態において、過剰用量投与による濫用を防止するために、単一の作動中に解放される第１の化合物の量の上限を制定することができる。
【００９５】
[0107]ある実施形態において、用量の滴定は、解放される第１の化合物の量を調整することによって達成することができる。解放される第１の化合物の量は、例えば、第１の化合物が解放される位置的に弁別可能な第１の区域の数を制御することによって、又は、第１の区域から解放される第１の化合物の量を制御することによって、滴定されることができる。例えば、熱蒸発解放機構を備えるいくつかの実施形態において、エアロゾルを備える第１の化合物の異なる量は、異なる数の第１の区域から第１の化合物を解放することによって、提供されることができる。ある実施形態において、第１の化合物の用量は、第１の区域に加えられる温度を制御することによって、又は、加熱される第１の化合物の表面積を調整し、それによって解放される第１の化合物の量を制御することによって、調整することができる。ある実施形態において、第１の化合物の用量を調整する能力は、疼痛等の疾病、状態又は障害の治療に適切であってもよく、これは、可変強度の症状の急性発症を明らかにする。
【００９６】
[0108]ある実施形態において、装置は、複数用量投与機能を提供することができる。複数用量投与機能は、一定の装置が、疾病、状態、症状又は障害の治療の必要に応じて第１の化合物の複数用量を送出することを可能にすることができる。急性発症疼痛等の一定の状態の治療のために、例えば、治療計画が、１日当たりオピオイド鎮痛薬の５から１５用量、２から５０用量、又は、１から１００用量を備えることができることが予想される。オピオイド鎮痛薬の模範的な治療効果量は、５ｍｇを備えることができ、これは、１５ｃｍ2の表面積をカバーするように付着されることができる。したがって、第１の化合物の複数用量は、小さな表面積に提供されることができる。ある実施形態において、第１の化合物を備える各位置的に弁別可能な第１の区域は、個々の用量を表すことができ、ある実施形態では、２つ以上の位置的に弁別可能な第１の区域が、第１の化合物の１用量を表すことができある。ある実施形態において、単一の第１の区域が複数用量を備えることができ、第１の化合物の一部のみが、装置の各連続起動中にエアウェイ内に解放される。
【００９７】
[0109]ある実施形態において、複数用量投与装置は、第１の化合物をエアウェイ内に解放するために起動されることができる第１の区域を前進させるか割送りする機構を含むことができる。前進又は割送りは、電子機構、機械機構、又は、電子機構と機械機構との組み合わせを備えることができる。例えば、図１を参照すると、第１の化合物１６を備える各第１の区域１４は、単一の用量を表すことができる。例えば抵抗加熱によって、第１の区域から第１の化合物１６を解放したのに続いて、コントローラ３３は、別の加熱要素を電気的に接続して第２の第１の区域１４から第１の化合物を解放すること等々によって、次の用量を解放するのを可能にすることができる。次いで、第１の化合物１６のその次の用量を、エアウェイ１２内に解放することができる。別の例として、図４を参照すると、第１の区域１４から第１の化合物１６を解放したのに続いて、サポート１３をリールトゥリール機構７２によって前進させることができ、新しい第１の区域１４をエアウェイ１２へ連結する。次いで、新しい第１の区域１４上の第１の化合物１６は、装置のその次の起動中に解放機構１８によって、エアウェイ１２内に解放されることができる。
【００９８】
[0110]ある実施形態において、複数用量を提供することは、単一の第１の区域からさらなる第１の化合物を解放することを含むことができる。ある実施形態において、例えば第１の化合物が液体又は粉末の形態であるときに、各用量に続いて、第１の化合物の追加用量は、図２に示されるような弁によってエアウェイに連結されることができる。
【００９９】
[0111]ある実施形態において、解放機構は、例えば、機械機構、熱機構又は音響機構を備えることができる。機械的解放機構の例として、第１の化合物又は第１の化合物を含む微粉末化粒子の溶液及び／又は懸濁液を気流内に解放することができるネブライザー吸入器、ドライパウダー吸入器及び定量噴霧式吸入器に使用される弁が挙げられる。ある実施形態において、解放機構は、エアロゾルを生成するためにノズル又は穴のアレイを通って製剤を注入することができる１つ以上のピストンを備えることができる。ある実施形態において、機械的解放機構は、第１の化合物の溶液及び／又は懸濁液、又は、第１の化合物を含む微粉末化粒子の分散及び／又は粉末を気流へ露出するために、ポリマーフィルム又は金属箔等の保護層を除去するための機構を含むことができる。
【０１００】
[0112]ある実施形態において、解放機構は、音響機構を備えることができる。例えば、超音波パルスを使用して、第１の区域に配置された第１の化合物を含む微粉末化粒子又は粉末の溶液及び／又は懸濁液を気流内に注入することができる。
【０１０１】
[0113]ある実施形態において、解放機構は、固体薄膜の形態である第１の区域に配置された第１の化合物が熱蒸発して第１の化合物を気流内に解放することができるように、熱機構を備えることができる。第１の化合物を熱的に気化するために、サポートに配置された第１の区域に熱エネルギを与えるための多数の機構を使用することができる。ある実施形態において、熱解放機構は、例えば、抵抗加熱、光学的加熱及び化学的加熱を含む。
【０１０２】
[0114]熱解放機構が抵抗加熱を備えるある実施形態は、図５に概略的に例示される。図５は、サポート１３の第１の表面２５に配置された複数の第１の区域１４及び複数の第２の区域１５を有するサポート１３を例示する。複数の抵抗加熱要素３２は、サポート１３の第２の表面２６に配置されることができる。複数の抵抗加熱要素３２は、図示のように、第１の区域１４及び第２の区域１５に対向するように位置決めされることができる。抵抗加熱要素３２は、電流が抵抗加熱要素３２に加えられるときに熱が生成されるように、オーム材料３５、例えばグラファイトインクを含むことができる。抵抗加熱要素３２によって生成された熱は、サポート１３を通って、第１の区域１４に配置された第１の化合物１６へ伝導されることができる。ある実施形態において、サポート１３は、金属等の熱伝導性材料、例えば、ステンレス鋼、銅、ニッケル又はアルミニウムを備えることができる。ある実施形態において、サポート１３は、抵抗加熱要素３２を制御回路３３及び電源３１に電気的に接続するための装置及び／又は特徴部を備えることができる。ある実施形態において、サポート１３は、抵抗加熱要素３２に電気的に接続された電気接触３４又は電気コネクタ（図示せず）を備えることができる。
【０１０３】
[0115]ある実施形態において、熱解放機構は、電磁エネルギの吸収によって熱を生成することを備えることができる。電磁エネルギは、例えば、赤外線、マイクロ波、高周波、及び、電磁スペクトルの可視部分を含む。電磁熱解放機構は、電源、電磁エネルギ源、及び、第１の化合物を加熱するために電磁エネルギを伝達し連結するためのレンズアセンブリを備えることができる。ある実施形態において、電磁エネルギ源は、光学源、例えば、キセノン閃光電球、レーザダイオード、発光ダイオード等を備えることができる。
【０１０４】
[0116]第１の化合物を加熱するための光学源を備える装置のある実施形態は、図３に概略的に例示される。図３に例示された装置のある実施形態は、コントローラ３３及び電磁源４２に電気的に接続された電源３１を含む。電磁エネルギ、例えば、電磁源４２によって生成された光学放射線は、例えばレンズ４４及び反射体４５を備える光学アセンブリを通して伝達されることができ、光学放射線４１をサポート１３に集中させる。ある実施形態において、入射光４１は、サポート１３の第１の表面２５に配置された第１の区域１４に対向する、サポート１３の第２の表面２６に配置された区域４６に衝突することができる。光学放射線４１の吸収によって区域４６に生成された熱は、熱伝導サポート１３を通って伝導されることができ、第１の化合物１６を熱蒸発させ、第１の化合物１６をエアウェイ１２内に解放する。
【０１０５】
[0117]ある実施形態において、区域４６は、第１の化合物１６の選択的解放を容易にする光学特性を呈する材料の層を備えることができる。例えば、図６Ａに示されるように、サポート１３の第２の表面２６の層５２は、第２の化合物１７が配置される第２の区域１５に対向する光学反射材料を含むことができる。層５２は、入射光を反射することができ、第１の区域１４及び第２の区域１５の選択加熱を生じさせ、それによって第１の化合物１６の選択的解放を容易にする。
【０１０６】
[0118]ある実施形態において、図６Ｂに示されるように、第１の区域１４に対向するサポート１３の第２の表面２６の領域は、熱エネルギの生成を容易にする材料を備える区域５４を含むことができる。例えば、区域５４は、光学放射線の吸収のために入射電磁放射線を吸収することができる材料例えばカーボンブラックを備えることができる。あるいは、ある実施形態において、区域５４は、第１の区域１４の下にあるサポート１３に入射電磁放射線を伝達することができる反射防止コーティングを備えることができ、一方、第２の表面２６の他の区域は、反射性でありうる。
【０１０７】
[0119]ある実施形態において、電磁放射線は、第１の化合物に直接入射することができる。第１の化合物による入射光の吸収によって生成された熱は、第１の化合物を熱蒸発させることができる。そのような実施形態において、入射電磁放射線の時間及び電力は、第１の化合物の劣化を最小限にするように、選択することができる。
【０１０８】
[0120]ある実施形態において、熱解放機構は、化学的熱源を備えることができる。化学的熱源の例は、発熱電気化学反応及び金属酸化反応を含む。金属酸化反応の例として、ジルコニウム、チタン、鉄又はマグネシウム等の金属を備える燃料混合、及び、三酸化モリブデン、過塩素酸カリウム、塩素酸カリウム、テフロン、ホウ素、又は、酸化鉄（III）等の酸化剤を、ニトロセルロース、ポリビニルアルコール又は二酸化ケイ素のコロイド分散等の結合剤と組み合わせて、点火することによって、熱を生成することができる。
【０１０９】
[0121]ある実施形態において、化学的熱源は、ヒートパッケージの外側膨張が、ステンレス鋼等の熱伝導性材料を備えることができるように、ヒートパッケージ内に含まれることができる。ヒートパッケージの外側膨張は、第１の区域及び第２の区域から選択された少なくとも１つの区域が配置されることができるサポートを備えることができる。そのような実施形態において、第１の化合物のみを解放するように第１の区域を選択加熱することが、例えば、第１及び第２の区域、又は、第１及び第２の区域の下にあるサポートの領域に、第２の区域から第２の化合物を解放するのを抑制しながら第１の区域から第１の化合物を解放するのを容易にする熱特性を呈させることよって、達成されることができる。例えば、図８に概略的に例示されるように、ヒートパッケージ６０は、化学的熱源６２と、第２の化合物１７が配置される第２の区域１５と、の間に位置する断熱層６４を備えることができる。断熱層６４は、例えば、セラミック又はエアギャップを備えることができる。第１の化合物１６は、第１の区域１４に配置されることができる。第１の化合物１６の選択的な解放を容易にするために、第１の区域１４の下にある領域は、断熱材料性の層を含まない。
【０１１０】
[0122]ある実施形態において、熱蒸発解放機構は、第１の化合物を含むエアロゾルを生成するために、第１の化合物の最小の劣化、反応又は改質で、第１の区域から第１の化合物を解放することができる。
【０１１１】
[0123]ある実施形態において、装置は、電子制御回路を備えることができる。電子制御回路は、装置の起動を制御することができ、ある実施形態では、複数用量投与機能、用量の間の時間を有する。制御回路のある実施形態は、図９に概略的に例示される。図９は、コントローラ３３に連結された、電源３１、作動機構２３、ロックアウト機構１９及び解放機構１８を例示する。ある実施形態において、コントローラ３３は、解放機構１８の起動を制御することができる。ある実施形態において、解放機構１８の起動は、作動機構２３及びロックアウト機構１９によって決定されることができる。一定の気流速度が装置のエアウェイ１２で検出されるときに、作動機構２３は信号をコントローラ３３へ送ることができる。ロックアウト機構１９は、一定のタイマー期間が経過した後に、信号をコントローラ３３へ送ることができるタイミング回路（図示せず）を含むことができる。作動機構２３及びロックアウト機構１９の両方から信号を受け取ったときに、コントローラ３３は解放機構１８を使用可能にすることができる。
【０１１２】
[0124]複数用量投与機能を有する装置のある実施形態において、コントローラ３３によって生成された制御信号は、動くように構成された機構９２を起動することができ、これも使用して、サポートを前進させるか割送りするかして、少なくとも１つの新しい第１の区域又は第１の区域の新しい部分を、エアウェイ１２へ及び解放機構１８へ連結する。ある実施形態において、コントローラ３３は、新しい解放機構１８を新しい第１の区域１４へ連結することができる。例えば、コントローラ３３は、異なる抵抗加熱要素を電源３１へ接続することができる。ある実施形態において、解放機構１８を使用可能にすることは、電源３１を解放機構１８へ電気的に接続することを含むことができるか、又は、ある実施形態では、機械的解放機構を有することが、機械的停止を係合解除することができる。
【０１１３】
[0125]装置が携帯使用であってもよいある実施形態において、制御回路を装置のハウジング内に組み込むことができる。ある実施形態において、制御回路の一定のサブシステムは、装置内に位置することができ、他のサブシステムは装置の外部に位置することができる。例えば、電源、コントローラ及びロックアウト機構は、ハウジングの外部にあることができ、一方、解放機構及び作動機構は、装置のハウジング内に位置することができる。携帯操作のために、電源は、使い捨て電池等の一次電池か又は再充電可能な電池等の二次電池を備えることができる。ある実施形態において、一定のサブシステムはハウジングの外部に位置することができ、電子制御回路は、外部及び内部のサブシステムを電気的に接続するために、ケーブル等の手段を備えることができる。
【０１１４】
[0126]ある実施形態において、エアウェイは、作動機構を含むことができる。作動機構は、エアウェイ内に位置決めされることができ、コントローラに連結されることができる。作動機構は、一定の気流速度がエアウェイで検出されるときに、制御回路を起動することができる。ある実施形態において、作動機構が起動されないときには、コントローラは、例えば、電源と解放機構との間の電気接続を防止することによって、解放機構の起動を防止することができ、それによって第１の化合物の解放を防止する。作動機構が起動される気流速度は、予め制定された閾値気流速度に設定されることができる。ある実施形態において、予め制定された閾値は、少なくとも１ｍ／秒でありうる。予め制定された閾値気流速度は、第１の化合物を第１の区域から解放するのに続いて第１の化合物を含むエアロゾルが形成されるのを確実にするように、設定することができる。ある実施形態において、作動機構は、エアウェイの気流速度を電気又は機械信号に変換するか又は転換することができるいずれの適切なセンサ、例えば、サーミスタ又は圧力トランスデューサ等であってもよい。
【０１１５】
[0127]ある実施形態において、作動機構は、機械スイッチを備えることができる。例えば、図２に概略的に例示されるように、機械スイッチ４０は、カートリッジ２８及び２９がエアウェイ１２へ向けて手で平行移動されるときに、弁を開いて第１の化合物１６をエアウェイ１２内に解放することができるように、装置のハウジング１１内に位置することができる。
【０１１６】
[0128]ある実施形態において、及び、特に、複数用量投与機能を備える実施形態において、コントローラは、ロックアウト機構を備えることができる。ロックアウト機構の目的は、繰り返し用量投与することによって第１の化合物を濫用するのを防止するか又は濫用する可能性を最小限にすることであってもよい。ある実施形態において、ロックアウト機構は、先行する起動に続く一定の時間期間の間、解放機構の再起動を防止することができる。ある実施形態において、ロックアウト機構は、タイミング回路を備えることができる。制御及びタイミング回路は、マイクロコントローラ又はアナログ及びデジタルロジックの組み合わせを使用して、実践することができる。ある実施形態において、用量の送出に続いて、制御回路は、スイッチを使用不可にすることができ、電源を解放機構へ電気接続するのを防止し、それによって第１の化合物の解放を防止する。一定の時間期間後、例えばタイミング回路によって決定されたように、コントローラは、スイッチを起動することができ、電源を解放機構へ接続し、それによって第１の化合物の解放を可能にする。ある実施形態において、遅延期間は、分、時間又は日であってもよい。ある実施形態において、装置の繰り返される起動の間の適切な時間は、少なくとも部分的には、治療される疾病、状態又は障害の重度及び徴候、投与されている製薬化合物の効力、投与されている製薬化合物の治療効果の持続時間、患者の生理的状態等によって決定されることができる。ある実施形態において、ロックアウト機構のタイミングサイクルは、製造時に、又は、治療を監督する医者によって、設定されることができる。
【０１１７】
[0129]ある実施形態において、ロックアウト機構は、第１の化合物の繰り返される送出の間に、簡単な固定された持続時間を課すことができる。そのような実施形態において、第１の化合物の繰り返される送出の間の持続時間は、１、３、５、１０、１５、２０、３０、４５又は６０分であってもよく、ある実施形態では、１．５、２、３、４、６、８、１２又は２４時間であってもよく、ある実施形態では、２日から７日の範囲であってもよい。ある実施形態において、第１の化合物はオピオイド作動薬を備え、ロックアウトインターバルは、例えば、３分〜６０分の範囲であってもよい。ある実施形態において、ロックアウト機構は、個々の連続用量の間の時間インターバルを制御せずに、例えば、３０分当たり３用量又は１日当たり８用量等の一定の時間期間内に、第１の化合物の固定された数の用量を送出するのを可能にすることができる。
【０１１８】
[0130]ある実施形態において、ロックアウト機構は、連続用量の間の時間インターバル、及び、一定の時間期間内の用量の数の両方を制御することができる。例えば、第１の化合物がオピオイド鎮痛薬、フェンタニルを含むある実施形態において、ロックアウト戦略は、連続用量の間に２分〜６分の範囲の時間インターバルを課すことができ、３０分〜４時間の範囲の時間期間内に２から８用量を超える送出を防止する。ある実施形態において、例えば第１の化合物はフェンタニルを備え、ロックアウト戦略は、連続用量の間に４分の時間インターバルを課すことができ、１時間当たり４用量を超える送出を防止する。ある実施形態において、ロックアウト機構は、連続用量の間に固定時間インターバル、１固定時間インターバル当たりの用量の最大固定数、及び、より長い固定時間インターバル当たりの用量のより大きな最大固定数を課すことができる。例えば、ある実施形態において、ロックアウト機構は、連続用量の間に３分の固定時間インターバルを課すことができ、３０分の期間内に最大３用量、２４時間の期間内に最大２４用量を備える。
【０１１９】
[0131]ある実施形態において、第１の化合物の解放中に、第１の化合物が配置される第１の区域を備えるサポートの少なくとも一部が、エアウェイに連結されることができる。サポートをエアウェイに連結することは、サポートのすべて又は一部をエアウェイ内に挿入することを備えることができる。ある実施形態において、サポートは、解放機構が第１の化合物をエアウェイ内に注入することができるように、エアウェイに隣接して位置することができる。そのような実施形態において、サポートは、ハウジングの開口を通って、又は、サポートの開口を通って、エアウェイに連結されることができる。ある実施形態において、ハウジングの開口は弁を含むことができる。例えば、図１に示されるように、サポート１３は、エアウェイ１２内に完全に配置されることができるか、又は、図２に示されるように、容器２８及び２９を備えるサポートをエアウェイ１２に隣接して配置し、弁４２を通ってエアウェイ１２に連結することができる。
【０１２０】
[0132]ある実施形態において、サポートを動かして、追加の第１の区域又は第１の区域の他の部分をエアウェイに及び／又は解放機構に連結することができる。そのような実施形態は、例えば、図３及び図４に例示されるように、サポートを動かす機構を含むことができ、動くように構成された機構は、それぞれ、回転機器及びリールトゥリールアセンブリを備える。
【０１２１】
[0133]ある実施形態において、装置は、エアウェイを通る気流率及び／又はエアウェイ内の気流速度を生成するか又は増大する機構を備えることができる。エアウェイを通る気流率及び／又はエアウェイ内の気流速度を生成するか又は増大するための機構は、例えば、加圧された気体源及び圧縮可能な容器を含むことができる。
【０１２２】
[0134]ある実施形態は、第１の化合物が配置される少なくとも１つの第１の区域と第２の化合物が配置される少なくとも１つの第２の区域とを提供するステップであって、第２の化合物は第１の化合物の薬理効果を中和することができるステップと、少なくとも１つの第１の区域の少なくとも一部上に気流を提供するステップと、少なくとも１つの第１の区域の少なくとも一部から気流内に第１の化合物を解放するステップと、を備え、第１の化合物は気流にエアロゾルを形成する、第１の化合物のエアロゾルを生成する方法を含む。
【０１２３】
[0135]ある実施形態は、エアロゾルを生成する装置及び方法によって生成されたエアロゾルを吸入することを備える、患者へ第１の化合物の治療効果量を投与する方法を含む。
【０１２４】
[0136]ある実施形態は、少なくとも１つの第１の化合物の治療効果量を備えるエアロゾルを患者へ投与することを備えるような治療が必要である患者の疾病を治療する装置及び方法を含み、エアロゾルは、エアロゾルを生成する装置及び方法によって生成される。少なくとも１つの製薬化合物を患者の気道へ投与するのを可能にすることによって、エアロゾルを生成する装置及び方法は、例えば、喘息、アナフィラキシー、疼痛、急性パニック発作、急性不安、睡眠誘導、及び、吐き気、嘔吐、パーキンソン病、鬱、及び、注意欠陥多動性障害等の、速やかな治療有効性が有利である疾病、状態又は障害の治療に適切でありえる。
【０１２５】
[0137]ある実施形態において、装置及び方法は、肺内送出のために及び第１の化合物を体循環内に速やかに吸収するために、第１の化合物のエアロゾルを生成する。第１の化合物を装置のエアウェイ内に解放するのに続いて、第１の化合物は、気流と結合することができ、第１の化合物を含むエアロゾルを形成する。ある実施形態において、部分的に第１の化合物の形態に及び使用される特定の解放機構に依存して、第１の化合物は、微粒子として、液滴として、又は、蒸気として、気流内に注入されることができる。
【０１２６】
[0138]第１の化合物を投与するために、エアロゾルを備える第１の化合物の微粒子の寸法は、肺内送出に適切な範囲内でありうる。１μｍ〜３μｍの範囲の、及び、０．０１μｍ〜０．１０μｍの範囲の空気動力学的粒径（「ＭＭＡＤ」）を有する粒子が、製薬化合物の肺内送出に適切であると認識される。１μｍ〜３μｍの範囲のＭＭＡＤによって特徴づけられるエアロゾル粒子は、重力沈降を通して肺胞壁に付着することができ、体循環内に吸収されることができ、一方、０．０１μｍ〜０．１μｍの範囲のＭＭＡＤによって特徴づけられるエアロゾル粒子もまた、拡散によって肺胞壁を通って吸収されることができる。０．１０μｍ〜１μｍの範囲のＭＭＡＤによって特徴づけられる粒子は、発散されることが多い。したがって、ある実施形態において、エアロゾルを生成する装置及び方法を使用して生成されたエアロゾルは、０．０１μｍ〜５μｍの範囲のＭＭＡＤ、ある実施形態では０．０５μｍ〜３μｍの範囲のＭＭＡＤ、及び、ある実施形態では１μｍ〜３μｍの範囲のＭＭＡＤ、を有する粒子を備えることができる。ある実施形態において、製薬化合物の肺内送出に適切なエアロゾルは、対数正規粒子サイズ分布の幾何標準偏差によって、さらに特徴づけることができる。ある実施形態において、エアロゾルを生成する装置及び方法を使用して生成されたエアロゾルは、３未満の、ある実施形態では２、５未満の、及び、ある実施形態では２未満の、対数正規粒子サイズ分布の幾何標準偏差を備える。
【０１２７】
[0139]ある実施形態において、気流速度、解放機構、及び、第１の区域に配置された第１の化合物の物理的形態等の要因を選択して、１μｍ〜５μｍの範囲のＭＭＡＤ、及び、ある実施形態では０．０１μｍ〜０．１μｍの範囲のＭＭＡＤ、によって特徴づけられた粒子を備えるエアロゾルを生成することができる。例えば、１０μｍ未満の厚さを有する第１の化合物の薄膜を５００ミリ秒以内に２００°Ｃから６００°Ｃの範囲の温度へ加熱して、少なくとも１ｍ／秒の速度を有する気流内に第１の化合物を熱蒸発させることによって、第１の化合物の肺内投与に適切な範囲のＭＭＡＤによって特徴づけられた粒子を備えるエアロゾルを生成することができる。
【０１２８】
[0140]製薬化合物の肺内送出用のエアロゾルのさらなる特徴は、エアロゾルを備える製薬化合物の純度である。ある実施形態において、エアロゾルは、主に、第１の化合物及び周囲空気を備えることができる。一定の状態下で、第１の化合物は、添加中に、保管及び輸送中に、又は、解放中に、劣化するか、反応するか、又は、他のように改質されることができる。ある実施形態において、エアロゾルを生成する装置及び方法を使用して形成されたエアロゾルは、質量で９０％を超える第１の化合物を含み、他の実施形態では、質量で９５％を超える第１の化合物を含む。ある実施形態において、エアロゾルを形成するために解放された第１の化合物の質量で１０％未満が、第１の区域からの解放中に、劣化するか反応するか又は改質され、他の実施形態では、エアロゾルを形成するために解放された第１の化合物の質量で５％未満が、第１の区域からの解放中に、劣化するか反応するか又は改質される。
【０１２９】
[0141]ある実施形態において、先に記載した熱蒸発状態は、質量で１０％未満の第１の化合物が解放中に劣化するエアロゾルを生成することもでき、ある実施形態では、質量で５％未満の第１の化合物が解放中に劣化する。
【０１３０】
[0142]ある実施形態は、エアロゾルを生成する装置及び方法によって生成された第１の化合物を含むエアロゾルを含む。ある実施形態において、エアロゾルは、２つ以上の第１の化合物を含むことができ、さらなる製薬的に容認可能な化合物を含むことができる。
【０１３１】
[0143]他の実施形態は、ここに開示されたように本発明の実施形態による装置及び方法の明細書及び実践を考慮して、当業者には明らかである。明細書及び例は、模範のみとしてみなされると意図され、本発明の実施形態による装置及び方法の真の範囲及び精神は、下記の特許請求の範囲によって示されている。
【図面の簡単な説明】
【０１３２】
【図１】ある実施形態による装置の概略図である。
【図２】ある実施形態による装置の概略図である。
【図３】ある実施形態による装置の概略図である。
【図４】ある実施形態による装置の概略図である。
【図５Ａ】ある実施形態によるサポートの概略図である。
【図５Ｂ】ある実施形態によるサポートの概略図である。
【図６Ａ】ある実施形態によるサポートの概略図である。
【図６Ｂ】ある実施形態によるサポートの概略図である。
【図７Ａ】ある実施形態による第１及び第２の区域を備えるサポートの概略図である。
【図７Ｂ】ある実施形態による第１及び第２の区域を備えるサポートの概略図である。
【図７Ｃ】ある実施形態による第１及び第２の区域を備えるサポートの概略図である。
【図８】ある実施形態によるサポートの概略図である。
【図９】ある実施形態による制御回路の概略図である。
【図１】
2007526796.tif 000003
【図２】
2007526796.tif 000004
【図３】
2007526796.tif 000005
【図４】
2007526796.tif 000006
【図５Ａ】
2007526796.tif 000007
【図５Ｂ】
2007526796.tif 000008
【図６Ａ】
2007526796.tif 000009
【図６Ｂ】
2007526796.tif 000010
【図７Ａ】
2007526796.tif 000011
【図７Ｂ】
2007526796.tif 000012
【図７Ｃ】
2007526796.tif 000013
【図８】
2007526796.tif 000014
【図９】
2007526796.tif 000015
【国際調査報告】
2007526796.tif 000016
2007526796.tif 000017
2007526796.tif 000018
2007526796.tif 000019
2007526796.tif 000020
2007526796.tif 000021